(57)【特許請求の範囲】
【請求項１】
互いに異なる点滅パターンで点滅する発光部を備えた複数の印刷装置と、
印刷ジョブを複数の印刷装置に分配して実行させる印刷管理装置と、
前記印刷ジョブに対する実行指示を受け付ける実行指示受領部と、
カメラを備えた携帯端末と、
前記携帯端末のカメラの出力画像に映っている前記発光部の点滅パターンを解析して、前記携帯端末のカメラが撮影している１または複数の印刷装置を同時視認可能印刷装置群として特定する特定部と、
を備え、
前記実行指示受領部が第１の印刷ジョブに対する実行指示を受けたとき、
前記特定部は、前記第１の印刷ジョブに対する実行指示を入力したユーザに紐付けされている携帯端末が撮影している１または複数の印刷装置を第１の同時視認可能印刷装置群として特定し、
前記印刷管理装置は、前記第１の同時視認可能印刷装置群に属する印刷装置の中から前記第１の印刷ジョブの分担先を決定し、該決定した分担先の印刷装置に前記第１の印刷ジョブを分配して実行させる
ことを特徴とする印刷システム。
【請求項２】
前記印刷管理装置は、前記第１の印刷ジョブの実行中に、前記第１の印刷ジョブに対する実行指示を入力したユーザに紐付けされている携帯端末のカメラが前記第１の印刷ジョブの実行を分担しているすべての印刷装置を撮影しているか否かを確認し、否の場合に、所定のセキュリティ保全措置を行う
ことを特徴とする請求項１に記載の印刷システム。
【請求項３】
周囲を撮影するカメラを備えた複数の印刷装置と、
印刷ジョブを複数の印刷装置に分配して実行させる印刷管理装置と、
前記印刷ジョブに対する実行指示を受け付ける実行指示受領部と、
自端末に固有の点滅パターンで点滅する発光部を備えた携帯端末と、
前記印刷装置のカメラの出力画像に映っている前記発光部の点滅パターンを解析して、一の携帯端末が前記出力画像に含まれている１または複数の印刷装置を前記一の携帯端末に対する同時視認可能印刷装置群として特定する特定部と、
を備え、
前記実行指示受領部が第１の印刷ジョブに対する実行指示を受けたとき、
前記特定部は、前記第１の印刷ジョブに対する実行指示を入力したユーザに紐付けされている携帯端末が出力画像に含まれている１または複数の印刷装置を第１の同時視認可能印刷装置群として特定し、
前記印刷管理装置は、前記第１の同時視認可能印刷装置群に属する印刷装置の中から前記第１の印刷ジョブの分担先を決定し、該決定した分担先の印刷装置に前記第１の印刷ジョブを分配して実行させる
ことを特徴とする印刷システム。
【請求項４】
前記印刷管理装置は、前記第１の印刷ジョブの実行中に、前記第１の印刷ジョブに対する実行指示を入力したユーザに紐付けされている携帯端末が前記第１の印刷ジョブの実行を分担しているすべての印刷装置のカメラの出力画像に含まれているか否かを確認し、否の場合に、所定のセキュリティ保全措置を行う
ことを特徴とする請求項３に記載の印刷システム。
【請求項５】
前記第１の同時視認可能印刷装置群に属する各印刷装置と、前記第１の印刷ジョブに対する実行指示を入力したユーザに紐付けされている携帯端末との距離を取得し、該距離が一定以上の印刷装置は、前記第１の印刷ジョブの分担先から除外する
ことを特徴とする請求項１乃至４のいずれか１つに記載の印刷システム。
【請求項６】
前記第１の同時視認可能印刷装置群に属する印刷装置の中から前記第１の印刷ジョブの分担先にする印刷装置の指定をユーザから受け付け、前記指定された印刷装置を前記第１の印刷ジョブの分担先に決定する
ことを特徴とする請求項１乃至５のいずれか１つに記載の印刷システム。
【請求項７】
前記印刷装置は、ユーザがログインしようとしていることを前記印刷管理装置に通知し、
前記印刷管理装置は、前記第１の印刷ジョブの実行中に、前記第１の印刷ジョブの実行指示を入力したユーザが、前記第１の同時視認可能印刷装置群に属する印刷装置以外の印刷装置にログインしようとしたことを検出した場合に、所定のセキュリティ保全措置を行う
ことを特徴とする請求項１乃至６のいずれか１つに記載の印刷システム。
【請求項８】
前記印刷管理装置は、前記第１の同時視認可能印刷装置群に属する印刷装置の中で、前記第１の印刷ジョブに係る印刷物が第三者に見られる可能性のある所定の阻害条件に一致する印刷装置を、前記第１の印刷ジョブの分担先から除外する
ことを特徴とする請求項１乃至７のいずれか１つに記載の印刷システム。
【請求項９】
前記印刷管理装置は、前記第１の同時視認可能印刷装置群に属する印刷装置に対してユーザからの操作の受け付けを禁止するように指示し、
前記禁止の指示を受けた前記印刷装置は、ユーザからの操作の受け付けを禁止する
ことを特徴とする請求項１乃至８のいずれか１つに記載の印刷システム。
【請求項１０】
前記印刷管理装置は、前記指定された印刷装置を前記第１の印刷ジョブの分担先に決定したとき、前記指定のされなかった印刷装置に対して前記禁止の解除を指示し、
前記禁止の解除の指示を受けた前記印刷装置は、ユーザからの操作の受け付け禁止を解除する
ことを特徴とする請求項６を引用する請求項９に記載の印刷システム。
【請求項１１】
前記印刷管理装置は、前記第１の印刷ジョブの実行が完了したとき、前記禁止を解除する
ことを特徴とする請求項９または１０に記載の印刷システム。
【請求項１２】
前記所定のセキュリティ保全措置は、前記ユーザへの警告、前記印刷ジョブの実行中断、前記印刷ジョブの印刷物をユーザから見えないように格納する、のうちの少なくとも１つを含む
ことを特徴とする請求項２、４または７に記載の印刷システム。
【請求項１３】
前記印刷管理装置は、前記第１の印刷ジョブの実行指示を入力したユーザが、前記第１の同時視認可能印刷装置群に属する印刷装置のいずれかにログインしたことを検出した場合に、前記セキュリティ保全措置を解除する
ことを特徴とする請求項７に記載の印刷システム。
【請求項１４】
互いに異なる点滅パターンで点滅する発光部を備えた複数の印刷装置に印刷ジョブを分配して実行させる印刷管理装置であって、
第１の印刷ジョブに対する実行指示を受けたとき、前記実行指示を入力したユーザに紐付けされている携帯端末であって該携帯端末のカメラの出力画像に映っている前記発光部の点滅パターンを解析して前記カメラが撮影している１または複数の印刷装置を同時視認可能印刷装置群として特定する機能を備えた携帯端末から前記同時視認可能印刷装置群の通知を受ける情報取得部と、
前記情報取得部が取得した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する
ことを特徴とする印刷管理装置。
【請求項１５】
互いに異なる点滅パターンで点滅する発光部を備えた複数の印刷装置に印刷ジョブを分配して実行させる印刷管理装置であって、
第１の印刷ジョブに対する実行指示を受けたとき、前記実行指示を入力したユーザに紐付けされている携帯端末であって該携帯端末のカメラの出力画像に映っている点滅パターンを検出する機能を備えた携帯端末から前記検出された１または複数の点滅パターンの通知を受ける情報取得部と、
前記情報取得部が取得した１または複数の点滅パターンに対応する１または複数の印刷装置を同時視認可能印刷装置群に特定し、該同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する
ことを特徴とする印刷管理装置。
【請求項１６】
互いに異なる点滅パターンで点滅する発光部を備えた複数の印刷装置に印刷ジョブを分配して実行させる印刷管理装置であって、
第１の印刷ジョブに対する実行指示を受けたとき、前記実行指示を入力したユーザに紐付けされている携帯端末から該携帯端末のカメラの出力画像を取得する画像取得部と、
前記画像取得部が取得した画像に映っている前記発光部の点滅パターンを解析して前記携帯端末のカメラが撮影している１または複数の印刷装置を同時視認可能印刷装置群として特定する特定部と、
前記特定部が特定した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する
ことを特徴とする印刷管理装置。
【請求項１７】
周囲を撮影するカメラを備えた複数の印刷装置に印刷ジョブを分配して実行させる印刷管理装置であって、
第１の印刷ジョブに対する実行指示を受けたとき、各印刷装置から、そのカメラの出力画像に映っている携帯端末を該携帯端末の発光部の固有の点滅パターンに基づいて識別した結果を取得し、前記実行指示を入力したユーザに紐付けされている携帯端末がカメラの出力画像に映っている１または複数の印刷装置を同時視認可能印刷装置群として特定する特定部と、
前記特定部が特定した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する
ことを特徴とする印刷管理装置。
【請求項１８】
周囲を撮影するカメラを備えた複数の印刷装置に印刷ジョブを分配して実行させる印刷管理装置であって、
第１の印刷ジョブに対する実行指示を受けたとき、前記複数の印刷装置のそれぞれからカメラの出力画像を取得し、これらの中から、前記実行指示を入力したユーザに紐付けされている携帯端末の該携帯端末に固有の点滅パターンで点滅する発光部が映っている出力画像を抽出し、該抽出した出力画像の取得元の１または複数の印刷装置を同時視認可能印刷装置群として特定する特定部と、
前記特定部が特定した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する
ことを特徴とする印刷管理装置。
【請求項１９】
情報処理装置を、
互いに異なる点滅パターンで点滅する発光部を備えた複数の予め登録された印刷装置に印刷ジョブを分配して実行させる印刷管理装置であって、
第１の印刷ジョブに対する実行指示を受けたとき、前記実行指示を入力したユーザに紐付けされている携帯端末であって該携帯端末のカメラの出力画像に映っている前記発光部の点滅パターンを解析して前記カメラが撮影している１または複数の印刷装置を同時視認可能印刷装置群として特定する機能を備えた携帯端末から前記同時視認可能印刷装置群の通知を受ける情報取得部と、
前記情報取得部が取得した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する印刷管理装置として機能させる
ことを特徴とするプログラム。
【請求項２０】
情報処理装置を、
互いに異なる点滅パターンで点滅する発光部を備えた複数の予め登録された印刷装置に印刷ジョブを分配して実行させる印刷管理装置であって、
第１の印刷ジョブに対する実行指示を受けたとき、前記実行指示を入力したユーザに紐付けされている携帯端末であって該携帯端末のカメラの出力画像に映っている点滅パターンを検出する機能を備えた携帯端末から前記検出された１または複数の点滅パターンの通知を受ける情報取得部と、
前記情報取得部が取得した１または複数の点滅パターンに対応する１または複数の印刷装置を同時視認可能印刷装置群に特定し、該同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する印刷管理装置として機能させる
ことを特徴とするプログラム。
【請求項２１】
情報処理装置を、
互いに異なる点滅パターンで点滅する発光部を備えた複数の予め登録された印刷装置に印刷ジョブを分配して実行させる印刷管理装置であって、
第１の印刷ジョブに対する実行指示を受けたとき、前記実行指示を入力したユーザに紐付けされている携帯端末から該携帯端末のカメラの出力画像を取得する画像取得部と、
前記画像取得部が取得した画像に映っている前記発光部の点滅パターンを解析して前記携帯端末のカメラが撮影している１または複数の印刷装置を同時視認可能印刷装置群として特定する特定部と、
前記特定部が特定した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する印刷管理装置として機能させる
ことを特徴とするプログラム。
【請求項２２】
情報処理装置を、
周囲を撮影するカメラを備えた複数の予め登録された印刷装置に印刷ジョブを分配して実行させる印刷管理装置であって、
第１の印刷ジョブに対する実行指示を受けたとき、各印刷装置から、そのカメラの出力画像に映っている携帯端末を該携帯端末の発光部の固有の点滅パターンに基づいて識別した結果を取得し、前記実行指示を入力したユーザに紐付けされている携帯端末がカメラの出力画像に映っている１または複数の印刷装置を同時視認可能印刷装置群として特定する特定部と、
前記特定部が特定した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する印刷管理装置として機能させる
ことを特徴とするプログラム。
【請求項２３】
情報処理装置を、
周囲を撮影するカメラを備えた複数の予め登録された印刷装置に印刷ジョブを分配して実行させる印刷管理装置であって、
第１の印刷ジョブに対する実行指示を受けたとき、前記複数の印刷装置のそれぞれからカメラの出力画像を取得し、これらの中から、前記実行指示を入力したユーザに紐付けされている携帯端末の該携帯端末に固有の点滅パターンで点滅する発光部が映っている出力画像を抽出し、該抽出した出力画像の取得元の１または複数の印刷装置を同時視認可能印刷装置群として特定する特定部と、
前記特定部が特定した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する印刷管理装置として機能させる
ことを特徴とするプログラム。
【請求項２４】
カメラを備えた携帯端末であって、印刷管理装置に対して印刷ジョブの実行指示を出したユーザに紐付けされている携帯端末を、
互いに異なる点滅パターンで点滅する発光部を備えた複数の印刷装置の中から決定した１または複数の印刷装置に印刷ジョブを分担して実行させる前記印刷管理装置に対して、前記カメラの出力画像に映っている前記発光部の点滅パターンを解析して前記カメラが撮影している１または複数の印刷装置を特定し、該特定した印刷装置を、前記印刷ジョブの分担先の候補として通知する、ように動作させる
ことを特徴とするプログラム。
【請求項２５】
カメラを備えた携帯端末であって、印刷管理装置に対して印刷ジョブの実行指示を出したユーザに紐付けされている携帯端末を、
互いに異なる点滅パターンで点滅する発光部を備えた複数の印刷装置の中から決定した１または複数の印刷装置に印刷ジョブを分担して実行させる前記印刷管理装置に対して、前記カメラの出力画像に映っている前記発光部の点滅パターンを検出し、該検出した１または複数の点滅パターンを通知する、ように動作させる
ことを特徴とするプログラム。
【発明の詳細な説明】
【技術分野】
【０００１】
本発明は、セキュリティを確保した出力が可能な印刷システム、印刷管理装置、プログラムに関する。
【背景技術】
【０００２】
機密文書を印刷する方法として、一般に印刷装置に対して印刷ジョブを投げた後、実際にユーザがその印刷装置でユーザ認証(あるいはパスワード入力)を行った時点で印刷を開始するように制御する、いわゆるセキリュティ印刷がある。印刷開始時に出力先の印刷装置でユーザ認証を受けることによりそのユーザがその印刷装置の前に居ることを担保して、印刷物が他人に覗き見などされて情報漏洩することを防止するものである。
【０００３】
プリントサーバに印刷ジョブを投げ、任意の印刷装置で認証することによってその印刷ジョブが出力される、いわゆるユビキタス印刷も、上記のセキュリティ印刷の一種と言える。
【０００４】
ユーザが印刷装置の前に実際に居ることを担保するための１つの技術が特許文献１に開示されている。具体的には、所定の釦の操作を受けると印刷装置は認証情報（QRコード（登録商標））を操作パネルに表示する。ユーザが携帯端末でこれを撮影するとその撮影された認証情報の内容と該携帯端末の情報がサーバに送信される。サーバは受信した情報の送信元が予め登録された携帯端末の場合に、そのユーザによる使用を許可して、印刷ジョブをその印刷装置に送信する。
【０００５】
また、大量の出力を複数の印刷装置に分担させることで、印刷完了までの時間を短縮する、いわゆる分散印刷と言われる印刷方法がある。分散印刷では、印刷ジョブをサーバに投げると、印刷完了までの時間を極力短くするように自動的にサーバで印刷ジョブが分割されて複数の印刷装置に分配される。たとえば、均等に、あるいはそれぞれの印刷装置の性能や付加機能などに応じて印刷ジョブが分配される。
【０００６】
既存のセキュリティ印刷は、ユーザが認証情報を入力した印刷装置でのみ印刷が行われるため、大量印刷時に印刷時間がかかってしまう。
【０００７】
下記特許文献２には、１つのジョブを、同じ認証情報を有する複数のジョブに予め分割して複数の印刷装置に振り分けて送付しておき、そのうちの一つの印刷装置でユーザが認証情報を入力すると、その印刷装置に送付されたジョブの印刷が開始されるだけでなく、他の印刷装置に送付された同じ認証情報を持つジョブの印刷も同時に開始される印刷システムが開示されている。
【先行技術文献】
【特許文献】
【０００８】
【特許文献１】特開２００６−３１３６８号公報
【特許文献２】特開２００２―１４０１８４号公報
【発明の概要】
【発明が解決しようとする課題】
【０００９】
セキュリティ印刷を時間短縮のために分散印刷で行いたい場合、たとえば、ユーザが目的のジョブを予め複数のジョブに分割してサーバに送信した後、複数の印刷装置のそれぞれで認証を行う、といった方法が考えられる。
【００１０】
しかし、ジョブを分割する手間やそれぞれの印刷装置で認証する手間を要する。また、出力先となる複数の印刷装置を任意に選択できるので、たとえば、離れた場所にある複数の印刷装置に分散印刷させることも可能になる。このため、ユーザが分散印刷先の全ての印刷装置を監視できる環境は必ずしも担保されず、また他のユーザに見られる可能性を考慮することなく出力されるため、セキュリティ印刷の本来の目的を果たせなくなる。
【００１１】
特許文献２に開示の印刷システムでは、１つの印刷装置で認証することで、複数の印刷装置で印刷が開始されるので、それぞれの印刷装置で認証を行う手間は軽減される。しかし、振り分け先となる複数の印刷装置を任意に設定できるので、離れた場所にある複数の印刷装置をジョブの振り分け先に設定すると、セキュリティを確保できなくなってしまう。
【００１２】
本発明は、上記の問題を解決しようとするものであり、セキュリティを確保した分散印刷を可能にする印刷システム、印刷管理装置、プログラムを提供することを目的としている。
【課題を解決するための手段】
【００１３】
かかる目的を達成するための本発明の要旨とするところは、次の各項の発明に存する。
【００１４】
［１］互いに異なる点滅パターンで点滅する発光部を備えた複数の印刷装置と、
印刷ジョブを複数の印刷装置に分配して実行させる印刷管理装置と、
前記印刷ジョブに対する実行指示を受け付ける実行指示受領部と、
カメラを備えた携帯端末と、
前記携帯端末のカメラの出力画像に映っている前記発光部の点滅パターンを解析して、前記携帯端末のカメラが撮影している１または複数の印刷装置を同時視認可能印刷装置群として特定する特定部と、
を備え、
前記実行指示受領部が第１の印刷ジョブに対する実行指示を受けたとき、
前記特定部は、前記第１の印刷ジョブに対する実行指示を入力したユーザに紐付けされている携帯端末が撮影している１または複数の印刷装置を第１の同時視認可能印刷装置群として特定し、
前記印刷管理装置は、前記第１の同時視認可能印刷装置群に属する印刷装置の中から前記第１の印刷ジョブの分担先を決定し、該決定した分担先の印刷装置に前記第１の印刷ジョブを分配して実行させる
ことを特徴とする印刷システム。
【００１５】
上記発明および下記［１４］、［１５］、［１６］、［１９］、［２０］、［２１］に記載の発明では、印刷ジョブの実行指示の入力を受けたときに、該実行指示を入力したユーザに紐付けされている携帯端末のカメラが撮影している印刷装置のみに分担先を制限して、該印刷ジョブを分散印刷することができる。実行指示を入力したユーザの携帯端末のカメラに映っている印刷装置はそのユーザから見える場所にあると考えられるので、セキュリティを確保した分散印刷が可能になる。
【００１６】
［２］前記印刷管理装置は、前記第１の印刷ジョブの実行中に、前記第１の印刷ジョブに対する実行指示を入力したユーザに紐付けされている携帯端末のカメラが前記第１の印刷ジョブの実行を分担しているすべての印刷装置を撮影しているか否かを確認し、否の場合に、所定のセキュリティ保全措置を行う
ことを特徴とする［１］に記載の印刷システム。
【００１７】
上記発明では、印刷ジョブの実行中にも、ユーザが該印刷ジョブのすべての分担先の印刷装置を見渡せる場所に居るか否かが確認される。すなわち、印刷ジョブの実行中に、該印刷ジョブの実行を分担しているすべての印刷装置が、該印刷ジョブの実行指示を入力したユーザに紐付けされている携帯端末のカメラの出力画像に映っているか否かを確認し、分担先の印刷装置が映っていない場合に、印刷を中断する等のセキュリティ保全措置が採られる。
【００１８】
［３］周囲を撮影するカメラを備えた複数の印刷装置と、
印刷ジョブを複数の印刷装置に分配して実行させる印刷管理装置と、
前記印刷ジョブに対する実行指示を受け付ける実行指示受領部と、
自端末に固有の点滅パターンで点滅する発光部を備えた携帯端末と、
前記印刷装置のカメラの出力画像に映っている前記発光部の点滅パターンを解析して、一の携帯端末が前記出力画像に含まれている１または複数の印刷装置を前記一の携帯端末に対する同時視認可能印刷装置群として特定する特定部と、
を備え、
前記実行指示受領部が第１の印刷ジョブに対する実行指示を受けたとき、
前記特定部は、前記第１の印刷ジョブに対する実行指示を入力したユーザに紐付けされている携帯端末が出力画像に含まれている１または複数の印刷装置を第１の同時視認可能印刷装置群として特定し、
前記印刷管理装置は、前記第１の同時視認可能印刷装置群に属する印刷装置の中から前記第１の印刷ジョブの分担先を決定し、該決定した分担先の印刷装置に前記第１の印刷ジョブを分配して実行させる
ことを特徴とする印刷システム。
【００１９】
上記発明および下記［１７］、［１８］、［２２］、［２３］に記載の発明では、各印刷装置の周囲を撮影するカメラを設けておき、印刷ジョブの実行指示の入力を受けたときに、該実行指示を入力したユーザに紐付けされている携帯端末の発光部を発光させ、カメラの出力画像に該発光部が映っている印刷装置のみに分担先を制限して、該印刷ジョブを分散印刷することができる。印刷装置が備えるカメラの出力画像に、実行指示を入力したユーザの携帯端末の発光部が映っていれば、その印刷装置はそのユーザから見える場所にあると考えられるので、セキュリティを確保した分散印刷が可能になる。
【００２０】
［４］前記印刷管理装置は、前記第１の印刷ジョブの実行中に、前記第１の印刷ジョブに対する実行指示を入力したユーザに紐付けされている携帯端末が前記第１の印刷ジョブの実行を分担しているすべての印刷装置のカメラの出力画像に含まれているか否かを確認し、否の場合に、所定のセキュリティ保全措置を行う
ことを特徴とする［３］に記載の印刷システム。
【００２１】
上記発明では、印刷ジョブの実行中にも、ユーザが該印刷ジョブのすべての分担先の印刷装置を見渡せる場所に居るか否かが確認される。すなわち、印刷ジョブの実行中に、該印刷ジョブの実行を分担しているすべての印刷装置のカメラの出力画像に、該印刷ジョブの実行指示を入力したユーザに紐付けされている携帯端末の発光部が映っているか否かを確認し、分担先の印刷装置の中で、該携帯端末の発光部が映っていない印刷装置がある場合に、印刷を中断する等のセキュリティ保全措置が採られる。
【００２２】
［５］前記第１の同時視認可能印刷装置群に属する各印刷装置と、前記第１の印刷ジョブに対する実行指示を入力したユーザに紐付けされている携帯端末との距離を取得し、該距離が一定以上の印刷装置は、前記第１の印刷ジョブの分担先から除外する
ことを特徴とする［１］乃至［４］のいずれか１つに記載の印刷システム。
【００２３】
上記発明では、ユーザから見える範囲にある（発光部がカメラの出力画像に映っている場合）であっても、ユーザから一定以上遠くにある印刷装置はジョブの分担先から除外する。
【００２４】
［６］前記第１の同時視認可能印刷装置群に属する印刷装置の中から前記第１の印刷ジョブの分担先にする印刷装置の指定をユーザから受け付け、前記指定された印刷装置を前記第１の印刷ジョブの分担先に決定する
ことを特徴とする［１］乃至［５］のいずれか１つに記載の印刷システム。
【００２５】
上記発明では、ユーザは、第１の同時視認可能印刷装置群に属する印刷装置の中から印刷ジョブの分担先を選択することができる。
【００２６】
［７］前記印刷装置は、ユーザがログインしようとしていることを前記印刷管理装置に通知し、
前記印刷管理装置は、前記第１の印刷ジョブの実行中に、前記第１の印刷ジョブの実行指示を入力したユーザが、前記第１の同時視認可能印刷装置群に属する印刷装置以外の印刷装置にログインしようとしたことを検出した場合に、所定のセキュリティ保全措置を行う
ことを特徴とする［１］乃至［６］のいずれか１つに記載の印刷システム。
【００２７】
上記発明では、ユーザが同時視認可能印刷装置群に属さない印刷装置にログインしようとした場合、該ユーザが、印刷を分担している印刷装置群から目を離したと考えられる。そこで、セキュリティ保全措置を実施して、印刷物が他人に見られたり持ち去られたりすることを防止する。
【００２８】
［８］前記印刷管理装置は、前記第１の同時視認可能印刷装置群に属する印刷装置の中で、前記第１の印刷ジョブに係る印刷物が第三者に見られる可能性のある所定の阻害条件に一致する印刷装置を、前記第１の印刷ジョブの分担先から除外する
ことを特徴とする［１］乃至［７］のいずれか１つに記載の印刷システム。
【００２９】
上記発明では、同時視認可能印刷群に属する印刷装置であっても、他人のジョブが実行中である、操作パネルが操作中である、前の印刷物が回収されていないなど、印刷物が第三者に見られる可能性がある場合（阻害条件に一致する場合）には、分担先から除外する。
【００３０】
［９］前記印刷管理装置は、前記第１の同時視認可能印刷装置群に属する印刷装置に対してユーザからの操作の受け付けを禁止するように指示し、
前記禁止の指示を受けた前記印刷装置は、ユーザからの操作の受け付けを禁止する
ことを特徴とする［１］乃至［８］のいずれか１つに記載の印刷システム。
【００３１】
上記発明では、印刷の分担先（あるいは分担先の候補）となる印刷装置での操作の受け付けを禁止する。これにより他のユーザによる新たなジョブの投入を阻止する。
【００３２】
［１０］前記印刷管理装置は、前記指定された印刷装置を前記第１の印刷ジョブの分担先に決定したとき、前記指定のされなかった印刷装置に対して前記禁止の解除を指示し、
前記禁止の解除の指示を受けた前記印刷装置は、ユーザからの操作の受け付け禁止を解除する
ことを特徴とする［６］を引用する［９］に記載の印刷システム。
【００３３】
上記発明では、ユーザが分担先に指定しなかった印刷装置については、操作の受け付け禁止を解除する。
【００３４】
［１１］前記印刷管理装置は、前記第１の印刷ジョブの実行が完了したとき、前記禁止を解除する
ことを特徴とする［９］または［１０］に記載の印刷システム。
【００３５】
［１２］前記所定のセキュリティ保全措置は、前記ユーザへの警告、前記印刷ジョブの実行中断、前記印刷ジョブの印刷物をユーザから見えないように格納する、のうちの少なくとも１つを含む
ことを特徴とする［２］、［４］または［７］に記載の印刷システム。
【００３６】
［１３］前記印刷管理装置は、前記第１の印刷ジョブの実行指示を入力したユーザが、前記第１の同時視認可能印刷装置群に属する印刷装置のいずれかにログインしたことを検出した場合に、前記セキュリティ保全措置を解除する
ことを特徴とする［７］に記載の印刷システム。
【００３７】
上記発明では、ユーザが同時視認可能印刷装置群に再度ログインした場合は、該ユーザが、印刷を分担している印刷装置群を同時視認可能な場所に戻ってきたと考えられる。そこで、セキュリティ保全措置を解除する。
【００３８】
［１４］互いに異なる点滅パターンで点滅する発光部を備えた複数の印刷装置に印刷ジョブを分配して実行させる印刷管理装置であって、
第１の印刷ジョブに対する実行指示を受けたとき、前記実行指示を入力したユーザに紐付けされている携帯端末であって該携帯端末のカメラの出力画像に映っている前記発光部の点滅パターンを解析して前記カメラが撮影している１または複数の印刷装置を同時視認可能印刷装置群として特定する機能を備えた携帯端末から前記同時視認可能印刷装置群の通知を受ける情報取得部と、
前記情報取得部が取得した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する
ことを特徴とする印刷管理装置。
【００３９】
上記発明および下記［１９］に記載の発明では、携帯端末が同時視認可能印刷装置群を特定して印刷管理装置に通知し、印刷管理装置は該通知された同時視認可能印刷装置群に基づいて印刷ジョブの分担先を決定する。
【００４０】
［１５］互いに異なる点滅パターンで点滅する発光部を備えた複数の印刷装置に印刷ジョブを分配して実行させる印刷管理装置であって、
第１の印刷ジョブに対する実行指示を受けたとき、前記実行指示を入力したユーザに紐付けされている携帯端末であって該携帯端末のカメラの出力画像に映っている点滅パターンを検出する機能を備えた携帯端末から前記検出された１または複数の点滅パターンの通知を受ける情報取得部と、
前記情報取得部が取得した１または複数の点滅パターンに対応する１または複数の印刷装置を同時視認可能印刷装置群に特定し、該同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する
ことを特徴とする印刷管理装置。
【００４１】
上記発明および下記［２０］に記載の発明では、携帯端末が点滅パターンを検出して印刷管理装置に通知し、印刷管理装置は該通知された点滅パターンから対応する印刷装置を認識して同時視認可能印刷装置群を特定する。
【００４２】
［１６］互いに異なる点滅パターンで点滅する発光部を備えた複数の印刷装置に印刷ジョブを分配して実行させる印刷管理装置であって、
第１の印刷ジョブに対する実行指示を受けたとき、前記実行指示を入力したユーザに紐付けされている携帯端末から該携帯端末のカメラの出力画像を取得する画像取得部と、
前記画像取得部が取得した画像に映っている前記発光部の点滅パターンを解析して前記携帯端末のカメラが撮影している１または複数の印刷装置を同時視認可能印刷装置群として特定する特定部と、
前記特定部が特定した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する
ことを特徴とする印刷管理装置。
【００４３】
上記発明および下記［２１］に記載の発明では、携帯端末から画像を取得し、印刷管理装置が同時視認可能印刷装置群を特定する。
【００４４】
［１７］周囲を撮影するカメラを備えた複数の印刷装置に印刷ジョブを分配して実行させる印刷管理装置であって、
第１の印刷ジョブに対する実行指示を受けたとき、各印刷装置から、そのカメラの出力画像に映っている携帯端末を該携帯端末の発光部の固有の点滅パターンに基づいて識別した結果を取得し、前記実行指示を入力したユーザに紐付けされている携帯端末がカメラの出力画像に映っている１または複数の印刷装置を同時視認可能印刷装置群として特定する特定部と、
前記特定部が特定した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する
ことを特徴とする印刷管理装置。
【００４５】
上記発明および下記［２２］に記載の発明では、各印刷装置は画像を解析して発光部の点滅パターンを認識し、印刷管理装置は、各印刷装置の認識結果を取得し、これに基づいて同時視認可能印刷装置群を特定する。
【００４６】
［１８］周囲を撮影するカメラを備えた複数の印刷装置に印刷ジョブを分配して実行させる印刷管理装置であって、
第１の印刷ジョブに対する実行指示を受けたとき、前記複数の印刷装置のそれぞれからカメラの出力画像を取得し、これらの中から、前記実行指示を入力したユーザに紐付けされている携帯端末の該携帯端末に固有の点滅パターンで点滅する発光部が映っている出力画像を抽出し、該抽出した出力画像の取得元の１または複数の印刷装置を同時視認可能印刷装置群として特定する特定部と、
前記特定部が特定した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する
ことを特徴とする印刷管理装置。
【００４７】
上記発明および下記［２３］に記載の発明では、印刷管理装置は、各印刷装置からカメラの出力画像を取得して同時視認可能印刷装置群を特定する。
【００４８】
［１９］情報処理装置を、
互いに異なる点滅パターンで点滅する発光部を備えた複数の予め登録された印刷装置に印刷ジョブを分配して実行させる印刷管理装置であって、
第１の印刷ジョブに対する実行指示を受けたとき、前記実行指示を入力したユーザに紐付けされている携帯端末であって該携帯端末のカメラの出力画像に映っている前記発光部の点滅パターンを解析して前記カメラが撮影している１または複数の印刷装置を同時視認可能印刷装置群として特定する機能を備えた携帯端末から前記同時視認可能印刷装置群の通知を受ける情報取得部と、
前記情報取得部が取得した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する印刷管理装置として機能させる
ことを特徴とするプログラム。
【００４９】
［２０］情報処理装置を、
互いに異なる点滅パターンで点滅する発光部を備えた複数の予め登録された印刷装置に印刷ジョブを分配して実行させる印刷管理装置であって、
第１の印刷ジョブに対する実行指示を受けたとき、前記実行指示を入力したユーザに紐付けされている携帯端末であって該携帯端末のカメラの出力画像に映っている点滅パターンを検出する機能を備えた携帯端末から前記検出された１または複数の点滅パターンの通知を受ける情報取得部と、
前記情報取得部が取得した１または複数の点滅パターンに対応する１または複数の印刷装置を同時視認可能印刷装置群に特定し、該同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する印刷管理装置として機能させる
ことを特徴とするプログラム。
【００５０】
［２１］情報処理装置を、
互いに異なる点滅パターンで点滅する発光部を備えた複数の予め登録された印刷装置に印刷ジョブを分配して実行させる印刷管理装置であって、
第１の印刷ジョブに対する実行指示を受けたとき、前記実行指示を入力したユーザに紐付けされている携帯端末から該携帯端末のカメラの出力画像を取得する画像取得部と、
前記画像取得部が取得した画像に映っている前記発光部の点滅パターンを解析して前記携帯端末のカメラが撮影している１または複数の印刷装置を同時視認可能印刷装置群として特定する特定部と、
前記特定部が特定した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する印刷管理装置として機能させる
ことを特徴とするプログラム。
【００５１】
［２２］情報処理装置を、
周囲を撮影するカメラを備えた複数の予め登録された印刷装置に印刷ジョブを分配して実行させる印刷管理装置であって、
第１の印刷ジョブに対する実行指示を受けたとき、各印刷装置から、そのカメラの出力画像に映っている携帯端末を該携帯端末の発光部の固有の点滅パターンに基づいて識別した結果を取得し、前記実行指示を入力したユーザに紐付けされている携帯端末がカメラの出力画像に映っている１または複数の印刷装置を同時視認可能印刷装置群として特定する特定部と、
前記特定部が特定した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する印刷管理装置として機能させる
ことを特徴とするプログラム。
【００５２】
［２３］情報処理装置を、
周囲を撮影するカメラを備えた複数の予め登録された印刷装置に印刷ジョブを分配して実行させる印刷管理装置であって、
第１の印刷ジョブに対する実行指示を受けたとき、前記複数の印刷装置のそれぞれからカメラの出力画像を取得し、これらの中から、前記実行指示を入力したユーザに紐付けされている携帯端末の該携帯端末に固有の点滅パターンで点滅する発光部が映っている出力画像を抽出し、該抽出した出力画像の取得元の１または複数の印刷装置を同時視認可能印刷装置群として特定する特定部と、
前記特定部が特定した前記同時視認可能印刷装置群に属する印刷装置の中から前記第１の印刷ジョブの分担先を決定する分担先決定部と、
前記分担先決定部が決定した分担先の印刷装置に前記第１の印刷ジョブを分配して実行させる分配部と
を有する印刷管理装置として機能させる
ことを特徴とするプログラム。
【００５３】
［２４］カメラを備えた携帯端末であって、印刷管理装置に対して印刷ジョブの実行指示を出したユーザに紐付けされている携帯端末を、
互いに異なる点滅パターンで点滅する発光部を備えた複数の印刷装置の中から決定した１または複数の印刷装置に印刷ジョブを分担して実行させる前記印刷管理装置に対して、前記カメラの出力画像に映っている前記発光部の点滅パターンを解析して前記カメラが撮影している１または複数の印刷装置を特定し、該特定した印刷装置を、前記印刷ジョブの分担先の候補として通知する、ように動作させる
ことを特徴とするプログラム。
【００５４】
上記発明では、該プログラムに従って動作する携帯端末は、カメラの出力画像に映っている点滅パターンを解析して該出力画像に映っている印刷装置を特定し、特定した印刷装置を、印刷ジョブの分担先の候補として印刷管理装置に通知する。
【００５５】
［２５］カメラを備えた携帯端末であって、印刷管理装置に対して印刷ジョブの実行指示を出したユーザに紐付けされている携帯端末を、
互いに異なる点滅パターンで点滅する発光部を備えた複数の印刷装置の中から決定した１または複数の印刷装置に印刷ジョブを分担して実行させる前記印刷管理装置に対して、前記カメラの出力画像に映っている前記発光部の点滅パターンを検出し、該検出した１または複数の点滅パターンを通知する、ように動作させる
ことを特徴とするプログラム。
【００５６】
上記発明では、該プログラムに従って動作する携帯端末は、カメラの出力画像に映っている点滅パターンを検出（複数の映っている場合は複数の点滅パターンを検出）し、これを印刷管理装置に通知する。印刷管理装置は、通知された１または複数の点滅パターンに対応する印刷装置を特定して、その特定した１または複数の印刷装置を、印刷ジョブの分担先とする。
【発明の効果】
【００５７】
本発明に係る印刷システム、印刷管理装置、プログラムによれば、セキュリティを確保しつつ複数の印刷装置を使用した分散印刷が可能になる。
【図面の簡単な説明】
【００５８】
【図１】本発明の第１の実施の形態に係る印刷システムの構成例を示す図である。
【図２】印刷管理サーバに管理される複数のＭＦＰの配置例と、各場所において携帯端末の撮影画像に映り込むＭＦＰを示す図である。
【図３】本発明の第１の実施の形態に係る印刷システムに含まれる印刷装置の概略構成を示すブロック図である。
【図４】本発明の第１の実施の形態に係る印刷システムに含まれる携帯端末の概略構成を示すブロック図である。
【図５】印刷管理サーバの概略構成を示すブロック図である。
【図６】本発明の第１の実施の形態に係る印刷システムでセキュリティ印刷を行う際の全体の流れを示す図である。
【図７】分担先指定画面の一例を示す図である。
【図８】ＭＦＰ６が分担先の候補から外された場合の分担先指定画面を示す図である。
【図９】回収確認画面の一例を示す図である。
【図１０】印刷結果画面の一例を示す図である。
【図１１】セキュリティ保全措置の制御に係る印刷管理サーバの動作を示す流れ図である。
【図１２】セキュリティ保全措置の実施を撮影画像に基づいて制御する印刷管理サーバの動作を示す流れ図である。
【図１３】セキュリティ印刷に関して印刷管理サーバが行う処理をまとめて示した流れ図である。
【図１４】図１３の続きを示す流れ図である。
【図１５】セキュリティ印刷に関してＭＦＰが行う処理の詳細を示す流れ図である。
【図１６】図１５の続きを示す流れ図である。
【図１７】印刷管理サーバからの要求に応じてＭＦＰが行う処理を示す流れ図である。
【図１８】ＭＦＰ情報の送信に関してＭＦＰが行う処理を示す流れ図である。
【図１９】携帯端末が行う視認可能グループ識別処理を示す流れ図である。
【図２０】本発明の第２の実施の形態に係る印刷システムでセキュリティ印刷を行う際の全体の流れを示す図である。
【図２１】携帯端末に表示される分担先指定画面の一例を示す図である。
【図２２】本発明の第２の実施の形態に係る印刷システムの構成例を示す図である。
【図２３】第２の実施の形態に係る印刷装置の概略構成を示すブロック図である。
【図２４】第２の実施の形態に係る携帯端末の概略構成を示すブロック図である。
【図２５】第２の実施の形態に係る印刷システムでセキュリティ印刷を行う際の全体の流れを示す図である。
【発明を実施するための形態】
【００５９】
以下、図面に基づき本発明の各種の実施の形態を説明する。
【００６０】
図１は、本発明の第１の実施の形態に係る印刷システム５の構成例を示している。印刷システム５は、ＬＡＮ（Local Area Network）などのネットワーク２に、複数台の印刷装置１０と、携帯端末３０と、印刷管理サーバ４０を接続して構成される。携帯端末３０は、アクセスポイント３を介して無線通信によりネットワーク２に接続される。携帯端末３０は、ユーザが所有する情報端末処理である。ネットワーク２には、印刷ジョブを印刷管理サーバ４０へ送信するＰＣ（パーソナルコンピュータ）４などが接続される。
【００６１】
印刷装置１０は、原稿を光学的に読み取ってその複製画像を記録紙に印刷するコピー機能、読み取った原稿の画像データをファイルにして保存したり外部端末へネットワーク２を通じて送信したりするスキャン機能、印刷管理サーバ４０からネットワーク２を通じて受信した印刷ジョブに基づいて記録紙上に文書や画像を印刷して出力する印刷機能などを備えた、所謂、複合機である。以後、印刷装置１０をＭＦＰと呼ぶものとする。
【００６２】
印刷装置１０は、ＬＥＤ（Light Emitting Diode）などの発光素子で構成された発光部２１を備えている。各印刷装置１０は電源オンの間、自装置の発光部２１を自装置に固有の点滅パターンで点滅させる。点滅パターンは、各印刷装置１０を一意に特定可能な識別情報となっている。
【００６３】
なお、印刷管理サーバ４０から指示されたときのみ点滅する構成でもよい。たとえば、セキュリティ印刷の実行要求を受けたとき、印刷管理サーバ４０は、各印刷装置１０に対して発光部２１の発光要求を送信し、各印刷装置１０は該発光要求を受信してから所定時間の間、自装置の発光部２１を点滅させる。
【００６４】
携帯端末３０は、カメラ３３（図３参照）を有する小型の情報処理端末である。携帯端末３０は、発光部２１の点滅している印刷装置１０をユーザが該携帯端末３０のカメラ３３で撮影した際に、カメラ３３の出力画像を解析し、該出力画像に映っている印刷装置１０の発光部２１の点滅パターンから、該出力画像に映り込んでいる印刷装置１０を特定する機能を有する。携帯端末３０は、カメラ３３の出力する画像に複数台の印刷装置１０が映っている場合は、その画像に映っている複数台の印刷装置１０を、それぞれの印刷装置１０に固有の点滅パターンから特定する。
【００６５】
たとえば、印刷装置１０と点滅パターンとの対応関係を示す登録テーブルを予め印刷管理サーバ４０に記憶しておき、携帯端末３０は、該登録テーブルを印刷管理サーバ４０から取得し、該登録テーブルを参照して、各点滅パターンに対応する印刷装置１０を特定する。印刷管理サーバ４０の記憶部４２に記憶される登録テーブルには、印刷装置１０毎に、その印刷装置１０の識別情報と、通信するためのアドレス情報（ＩＰアドレスなど）と、点滅パターンとが対応付けて登録されている。
【００６６】
印刷システム５は、出力時に出力先の印刷装置１０をユーザが監視できる状態で印刷が実行されるように制御されるセキュリティ印刷を、複数の印刷装置１０にジョブを分担させる分散印刷で行う機能を備えている。
【００６７】
従来のセキュリティ印刷は、出力時にパスワード等の認証情報が印刷装置１０の操作パネル等から入力されたことを条件に印刷を開始することで、ユーザが出力時に出力先の印刷装置１０の近くに居ることを担保して、印刷物が他人に覗かれたり持ち去られたりすることによる情報漏洩を防止する。しかし、この方法では、出力先は、パスワード等の入力操作を受け付けた１台の印刷装置１０に制限される。
【００６８】
印刷システム５は、セキュリティ印刷の情報漏洩防止機能を分散印刷で担保するために、セキュリティ印刷を分散印刷で行う際の印刷ジョブの分担先を、出力を指示したユーザが一度に見渡せる範囲に存在する印刷装置のみに制限する。具体的には、印刷ジョブの実行指示を入力したユーザに紐付けされている携帯端末３０のカメラ３３が出力中の画像に同時に映り込んでいる印刷装置のみを該印刷ジョブの分担先に設定できるように制限する。
【００６９】
すなわち、印刷ジョブの実行指示を入力したユーザに、該印刷ジョブの分担先にしたい１または複数の印刷装置１０を自分の携帯端末３０で撮影させると、携帯端末３０のカメラの出力画像に映り込んでいる印刷装置１０は、そのユーザが一度に見渡せる範囲に存在すると考えられる。そこで、印刷システム５は、印刷ジョブの分担先を、該印刷ジョブの実行を指示したユーザの携帯端末３０のカメラ３３の出力画像に映り込んでいる印刷装置１０に制限することで、印刷ジョブの実行を指示したユーザが、該印刷ジョブの実行時に該印刷ジョブの実行を分担しているすべての印刷装置１０の近くに居ることを担保して、印刷物が他人に覗かれたり持ち去られたりすることによる情報漏洩を防止する。
【００７０】
ここでは、印刷システム５は、ユーザからセキュリティ印刷の設定が成された第１の印刷ジョブの実行指示を受けた際に、そのユーザに紐付けされている携帯端末３０のカメラ３３が出力する画像を解析して、該画像に映り込んでいる１または複数の印刷装置１０を同時視認可能印刷装置群（以後、視認可能グループとする）に特定する。そして、第１の印刷ジョブの実行を分担する印刷装置を、該特定した視認可能グループに属する印刷装置の中から自動もしくはユーザから選択を受けて決定し、該決定した分担先の印刷装置１０に第１の印刷ジョブを分配して実行させる。
【００７１】
これにより、印刷システム５では、セキュリティ印刷の機能を分散印刷で担保することができる。なお、印刷ジョブの実行指示を入力したユーザに紐付けられた携帯端末３０の特定は、適宜の方法で行えばよいが、たとえば、以下の（１）、（２）、（３）に示す方法がある。
【００７２】
（１）ユーザＩＤ毎に、対応する携帯端末３０を予め登録しておき、印刷ジョブの実行指示を受ける際にユーザＩＤの入力を求めることで、該実行指示を入力したユーザに紐付けされている携帯端末３０を特定する。たとえば、印刷装置１０にログインした後に該印刷装置１０の操作パネルから印刷ジョブの実行指示を受ける場合、ログイン中のユーザに対応付けされている携帯端末３０を、印刷ジョブの実行指示を入力したユーザに紐付けされた携帯端末３０であると認識する。
【００７３】
（２）印刷ジョブの実行指示を受ける際に認証情報の入力を求め、携帯端末３０でも同じ認証情報の入力を求めることで、実行指示を入力したユーザに紐付けされた携帯端末３０を特定する。
【００７４】
（３）携帯端末３０の識別情報（たとえばＩＰアドレス）とユーザ認証情報を近距離無線通信で送信する機能を備えた携帯端末３０を印刷装置１０の読み取り機に近づけることで印刷装置１０へログインする構成において、ログイン後に印刷装置１０の操作パネルで印刷ジョブの実行指示を受けたり、ログイン後に自動的にログインユーザの印刷ジョブを実行したりする場合は、ログインに使用された携帯端末３０が印刷ジョブの実行指示を入力したユーザに紐付けされた携帯端末に特定される。
【００７５】
図２は、印刷管理サーバ４０に管理される複数のＭＦＰ（印刷装置１０）の配置例と、各場所において携帯端末３０の撮影画像に映り込むＭＦＰを示している。この例では、Ｌ字型のパーティション５１の内側に、ＭＦＰ１〜ＭＦＰ３が並置して配置されている。また、パーティション５１の外側に、ＭＦＰ４〜ＭＦＰ８が配置されている。ＭＦＰ６は、Ｌ字の角に配置され、ＭＦＰ４、ＭＦＰ５はＬ字の一方の辺に沿って配置され、ＭＦＰ７、ＭＦＰ８はＬ字の他方の辺に沿って配置されている。さらに、遠くに離れた場所にＭＦＰ９が設置されている。
【００７６】
ＭＦＰ１の前方の場所（Ｐ１）からパーティション５１側を向いて携帯端末３０で撮影した場合、その画像にはＭＦＰ１、ＭＦＰ２、ＭＦＰ３が映り込む。したがって、この場合は、ＭＦＰ１、ＭＦＰ２、ＭＦＰ３が視認可能グループに特定される。
【００７７】
ＭＦＰ４の前方の場所（Ｐ４）からパーティション５１の角側を向いて携帯端末３０で撮影した場合、その画像にはＭＦＰ４、ＭＦＰ５、ＭＦＰ６が映り込む。したがって、この場合は、ＭＦＰ４、ＭＦＰ５、ＭＦＰ６が視認可能グループに特定される。
【００７８】
ＭＦＰ６の前方の場所（Ｐ６）からパーティション５１の角を向いて携帯端末３０で広角に撮影した場合、その画像にはＭＦＰ４、ＭＦＰ５、ＭＦＰ６、ＭＦＰ７、ＭＦＰ８、ＭＦＰ９が映り込む。この場合、携帯端末３０からＭＦＰ９までの距離が一定以上なので、ＭＦＰ９は除外され、ＭＦＰ４、ＭＦＰ５、ＭＦＰ６、ＭＦＰ７、ＭＦＰ８が視認可能グループに特定される。
【００７９】
図３は、印刷装置１０の概略構成を示すブロック図である。印刷装置１０は、当該印刷装置１０の動作を統括的に制御する制御部１１を有している。制御部１１は、ＣＰＵ（Central Processing Unit）などを主要部品として構成される。制御部１１には、記憶部１２、画像処理部１３、画像読取部１４、操作パネル１５、プリンタ部１８、ネットワーク通信部１９、発光部２１等が接続されている。
【００８０】
制御部１１のＣＰＵは、ＯＳ（Operating System）プログラムをベースとし、その上で、ミドルウェアやアプリケーションプログラムなどのプログラムを実行する。
【００８１】
記憶部１２は、ＲＯＭ（Read Only Memory）、ＲＡＭ（Random Access Memory）、ハードディスク装置、不揮発メモリなどで構成され、各種のプログラムやデータが記憶される。記憶部１２には、装置全体の動作を制御するプログラム、発光部２１の点滅動作を制御するプログラムなどが記憶される。制御部１１のＣＰＵがこれらのプログラムに従って各種の処理を実行することで印刷装置１０としての機能が実現される。
【００８２】
画像処理部１３は、画像の拡大縮小、回転などの処理のほか、印刷データをイメージデータに変換するラスタライズ処理、画像データの圧縮、伸張処理などを行う。
【００８３】
画像読取部１４は、原稿を光学的に読み取って画像データを取得する機能を果たす。画像読取部１４は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００８４】
操作パネル１５は、表示部１６と、操作部１７を備えている。表示部１６は、液晶ディスプレイ（ＬＣＤ…Liquid Crystal Display）などで構成され、各種の操作画面、設定画面などを表示する機能を果たす。操作部１７は、スタートボタンなどの各種操作スイッチ、表示部１６の表示面上に設けられたタッチパネル等で構成される。タッチパネルは、タッチペンや指などで押下された座標位置を検出する。また、フリック操作、ドラッグ操作、スクロールバーに対する操作などを検出する。操作パネル１５は、ユーザからセキュリティ印刷に係る認証情報の入力等の操作を受ける。
【００８５】
プリンタ部１８は、印刷データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。プリンタ部１８は他の方式でもかまわない。
【００８６】
ネットワーク通信部１９は、ネットワーク２を通じて印刷管理サーバ４０や他の外部装置との間で通信する機能を果たす。
【００８７】
発光部２１は、ＬＥＤなどの発光素子とそのドライバ素子を備えて構成される。発光部２１は操作パネル１５に設けられてもよい。発光部２１は、ユーザに直観的な視覚情報を与えるため複数色の発光素子を備えてもよい。発光部２１は、周囲の全方向に光を照射することが望ましい。発光部２１の点滅は、携帯端末３０のカメラ３３で撮影した画像により正確に点滅を識別でき、かつ肉眼では点滅していないように見える程度の周期で行われる。たとえば、カメラ３３が３０フレーム／秒の場合、１／３０秒〜１／１５秒、程度を最小のオン期間・オフ期間として点滅する。なお、肉眼で見える程度の周期で点滅させてもかまわない。点滅パターンは、「１」を点灯、「０」を消灯とする場合、たとえば「１０１１０１００１０１」のような符号を表す。
【００８８】
図４は、携帯端末３０の概略構成を示すブロック図である。携帯端末３０は、制御部３１、記憶部３２、カメラ３３、表示部３４、操作部３５、ネットワーク通信部３６などで構成される。
【００８９】
制御部３１は、携帯端末３０の動作を制御するＣＰＵ等で構成される。制御部３１のＣＰＵは、ＯＳプログラムをベースとし、その上で、ミドルウェアやアプリケーションプログラムを実行する。
【００９０】
記憶部３２は、ＲＡＭ、及び不揮発性のフラッシュＲＯＭ、ＳＳＤ(Solid State Drive)などで構成される。記憶部３２には、カメラ３３の出力する画像に映っている発光部２１の点滅パターンを認識し、該画像に映り込んでいる１または複数台の印刷装置１０を視認可能グループとして特定するプログラム、特定した視認可能グループを印刷管理サーバ４０へ通知するプログラムなど、各種のプログラムが格納されており、これらのプログラムに従って制御部３１が各種処理を実行することで携帯端末３０の機能が実現される。
【００９１】
カメラ３３は、撮像素子、光学レンズなどで構成され、光学レンズにより撮像素子上に投影された像の情報を電気信号に変換して出力する機能を果たす。
【００９２】
表示部３４は、液晶ディスプレイなどで構成され、各種の操作画面、設定画面などを表示する機能を果たす。操作部３５は、少数の操作スイッチ、表示部３４の表示面上に設けられたタッチパネル等を備える。
【００９３】
ネットワーク通信部３６は、無線ＬＡＮなどの無線通信によってアクセスポイント３を介してネットワーク２と接続し、サーバ４０や他の外部装置と通信する機能を果たす。
【００９４】
図５は、印刷管理サーバ４０の概略構成を示すブロック図である。印刷管理サーバ４０は、制御部４１、記憶部４２、ネットワーク通信部４３等を備えて構成される。
【００９５】
制御部４１は、印刷管理サーバ４０の動作を制御するＣＰＵ等で構成される。制御部４１のＣＰＵは、ＯＳプログラムをベースとし、その上で、ミドルウェアやアプリケーションプログラムを実行する。
【００９６】
記憶部４２は、ＲＡＭ、及び不揮発性のフラッシュＲＯＭ、ハードディスク装置などで構成される。記憶部４２には、各種のプログラムが格納されており、これらのプログラムに従って制御部４１が各種の処理を実行することで印刷管理サーバ４０の機能が実現される。記憶部４２には、当該印刷管理サーバ４０が印刷ジョブの分担先に選択可能な複数の印刷装置１０が予め登録されている。
【００９７】
より詳細には、制御部４１は、記憶部４２に格納されたプログラムを実行することにより、印刷ジョブの分担先となる印刷装置１０を決定する分担先決定部４４、分担先決定部４４が分担先に決定した印刷装置１０に印刷ジョブを分配して実行させる分配部４５、セキュリティ印刷の実行中に出力先の印刷装置１０からユーザが離れた場合や、出力先の印刷装置１０が携帯端末３０の撮影画像に映っていることの確認が一定時間とれない場合に、印刷物が他人に見られることによる情報漏洩を防止するための所定のセキュリティ保全措置を実行するための制御を行うセキュリティ保全部４６、印刷装置１０に対して操作パネル１５での操作の受け付け禁止や該禁止の解除を指示する操作禁止部４７などの機能を果たす。
【００９８】
記憶部４２には、さらに、受信した印刷ジョブなどが記憶される。また、記憶部４２は、制御部４１がプログラムを実行する際に各種のデータを一時的に記憶するワークメモリ等として使用される。前述した登録テーブルも記憶される。
【００９９】
ネットワーク通信部４３は、ネットワーク２を通じてＰＣ４や印刷装置１０と通信する機能を果たす。ネットワーク通信部４３は、携帯端末３０から視認可能グループ等の通知を受ける情報取得部として機能する。
【０１００】
次に、印刷システム５でセキュリティ印刷を行う際の全体の流れを説明する。
【０１０１】
図６は、印刷システム５でセキュリティ印刷を行う際の全体の流れを示している。この例では、機密文書１をセキュリティ印刷するものとする。また、ユーザは、図２のＰ４の位置に居て、ＭＦＰ４にログインするものとする。
【０１０２】
まず、ユーザは、セキュリティ印刷の設定が成された印刷ジョブ（機密文書１の印刷ジョブ）をＰＣ４等から印刷管理サーバ４０に送信する。印刷管理サーバ４０は、該印刷ジョブを受信して記憶部４２に保存する（ステップＳ２０１）。
【０１０３】
その後、ユーザは、ＭＦＰ４にログインして機密文書１の印刷指示（印刷ジョブの実行指示）をＭＦＰ４の操作パネル１５から入力する。ここでは、前述した（３）の方法で、印刷ジョブの実行指示を入力したユーザの携帯端末３０が紐付けされる。すなわち、ユーザの携帯端末３０をＭＦＰ４のカード読み取り機にかざす、あるいはユーザの携帯端末３０がＭＦＰ４の所定距離内に近づくことで、ＭＦＰ４と携帯端末３０とが通信し、該ユーザのＭＦＰ４へのログイン処理が行われる。これによりＭＦＰ４は、ログインユーザと該ログインに使用された携帯端末３０を紐付ける。
【０１０４】
機密文書１の印刷指示を受けたＭＦＰ４は（ステップＳ１０１)、機密文書１に係る印刷ジョブの実行要求を印刷管理サーバ４０に送信する（ステップＳ１０２）と共に、ログインユーザに紐付けされている携帯端末３０に対して、視認可能グループ識別処理の開始を指示する（ステップＳ１０３）。
【０１０５】
このとき、印刷指示を入力したユーザは、機密文書１の出力先にしたい１または複数の印刷装置１０が同時に映るように携帯端末３０を構える。この例では、図２のＰ４の位置からＭＦＰ４、ＭＦＰ５、ＭＦＰ６が映るように携帯端末３０を構えるものとする。
【０１０６】
視認可能グループ識別処理の開始指示を受けた携帯端末３０は、視認可能グループ識別処理を開始する。詳細には、携帯端末３０は、カメラ３３を起動し、カメラ３３の出力する画像に映っている発光部２１の点滅パターンを解析することで該画像に映っている１または複数の印刷装置１０を特定し、特定した印刷装置１０を視認可能グループとする。
【０１０７】
より具体的には、カメラ３３の出力画像を解析して、印刷管理サーバ４０から取得した登録テーブルに登録されている点滅パターンと一致する点滅パターンを検出し、その検出した点滅パターンに対付けて登録テーブルに登録されているＭＦＰのＩＤやＩＰアドレスを、出力画像に映っているＭＦＰの情報として特定する。この例では、ＭＦＰ４、ＭＦＰ５、ＭＦＰ６が視認可能グループにされる。そして、該視認可能グループを印刷管理サーバ４０に通知する（ステップＳ３０１）
なお、カメラ３３の出力する画像に映っている場合でもあって。携帯端末３０から一定以上離れている印刷装置１０は視認可能グループから除外する。携帯端末３０と印刷装置１０との距離は、近距離無線通信の電波強度、発光部２１からの光の受光強度や画像上での光源サイズ、印刷装置１０での人感センサの反応の有無（ユーザが印刷装置１０から遠いと人感センサは反応しない）、画像上での発光部２１間の距離、識別された発光部の数などによって判断する。
【０１０８】
画像上での発光部２１間の距離で判断する方法では、携帯端末３０のカメラ３３の画角によって閾値を変更する。この方法は、携帯端末３０から所定の上限距離だけ離れた場所で、２台の印刷装置１０を最も近づけて並べた場合におけるそれらの印刷装置１０の発光部２１間の距離が画像上で何ドットになるかを計算してこの値を閾値とし、画像内から検出された２つの発光部２１の間隔のドット数が閾値未満の場合は、これら２台の印刷装置１０は携帯端末３０から上限距離より遠くにあると判断する。
【０１０９】
視認可能グループの通知を受信した印刷管理サーバ４０は、通知された視認可能グループに属する印刷装置１０のそれぞれについて、分散印刷の実行が可能な状態にあるか否かを各印刷装置１０に問い合わせて調べる（ステップＳ２０２）。具体的には、ある印刷装置１０において、実行中の他のユーザのジョブが存在する、人感センサに反応がある、操作パネルが操作されている、などの阻害条件に一致し、他のユーザがその印刷装置１０の前で操作を行っていたり印刷物を取りに近づいて来たりする可能性がある場合に、その印刷装置１０は分散印刷を実行できない状態にあると判定する。阻害条件に一致せずに上記の可能性がない印刷装置１０は、分散印刷の実行が可能な状態にあると判定する。
【０１１０】
次に、印刷管理サーバ４０は、ステップＳ２０２で分散印刷の実行が可能な状態にあると判定した各印刷装置１０に対して、操作パネル１５による操作の受け付け禁止（操作パネルのロック）を指示する（ステップＳ２０３）。操作パネルをロックすることで、新たに使用を開始できないようにする。ロックした操作パネルの表示部１６には、その理由（たとえば、分散印刷の実行中であること等）が表示される。そして、視認可能グループに属する印刷装置１０のうちのステップＳ２０２で分散印刷の実行が可能な状態にあると判定した印刷装置１０を、機密文書１を分散印刷する際の分担先候補として、実行要求の送信元であるＭＦＰ４に通知する(ステップＳ２０４)。
【０１１１】
上記の通知を受けた印刷装置１０（ＭＦＰ４）は、該通知された分担先候補の中から分担先の指定をユーザから受けるための分担先指定画面を操作パネル１５に表示する（ステップＳ１０４）。
【０１１２】
図７は、分担先指定画面６０の一例を示している。この例は、携帯端末３０から通知された視認可能グループに属するＭＦＰ４、ＭＦＰ５、ＭＦＰ６のすべてが分担先の候補となる場合の例を示している。分担先指定画面６０には、分担先候補毎に、その分担先候補を分担先に指定するための選択釦６１が表示される。また、選択内容を確定するためのＯＫ釦６２が表示される。各選択釦６１には、その選択釦６１に対応する印刷装置１０の名称が表示されている。選択釦６１が押下されるとその選択釦６１に対応する印刷装置１０が分散印刷の分担先に選択され、その状態の選択釦６１が再度押下されると、その選択釦６１に対応する印刷装置１０は分担先から解除される。ＯＫ釦６２の押下により選択内容が確定する。
【０１１３】
図８は、ステップＳ２０２のチェックによりＭＦＰ６が分担先の候補から除外された場合の分担先指定画面６０を示している。ＭＦＰ６に対応する選択釦６１ｃは、グレーアウトなど、操作不能に表示される。また選択釦６１ｃには、分担先の候補から除外された理由が表示されている。
【０１１４】
図６に戻って説明を続ける。印刷装置１０（ＭＦＰ４）は、分担先指定画面６０にて分担先の指定を受け付け、ユーザから指定された分担先を印刷管理サーバ４０に通知する（ステップＳ１０５）。
【０１１５】
印刷管理サーバ４０は、上記の通知を受信すると（ステップＳ２０５）、ステップＳ２０３で操作パネルをロックした印刷装置１０のうち分担先に指定されなかった印刷装置１０に対して、操作パネルのロック解除を指示する（ステップＳ２０６）。これにより、分担先に指定されなかった印刷装置１０においては、新たな使用の受け付けが可能になる。分担先に指定された印刷装置１０については、新たな使用を防止する状態が継続される。
【０１１６】
次に印刷管理サーバ４０は、機密文書１の印刷ジョブを、分担先の印刷装置１０に分配して印刷の実行を指示する（ステップＳ２０７）。印刷管理サーバ４０は、印刷完了までの時間が極力短くなるように印刷ジョブを分配する。印刷ジョブの分配は、各印刷装置１０の性能、紙残量、他ユーザの待ちジョブ数、などを考慮し、ジョブ単位(複数ジョブ同時出力の場合)、部単位、ページ単位、紙質単位、などを考慮し最適な方法で印刷できるように配慮して行われる。分配方法としては、部数ごとに分ける方法、大量ページのうち任意の位置で分ける方法など既存の分散印刷で一般的に行われている方法を使うことができる。
【０１１７】
機密文書１の印刷を分担する印刷装置１０は、それぞれ操作パネルをロックして新たなジョブの投入操作ができない状態を維持すると共に、分散印刷の実行中である旨を表示しつつ、印刷管理サーバ４０から分配された印刷を実行する（ステップＳ１０６）。
【０１１８】
印刷が終了したら、操作パネル１５の表示部１６に、図９に示すような回収確認画面６５を表示し、該画面６５内の回収釦６６が押下されたら、印刷物がユーザによって回収されたことを印刷管理サーバ４０に通知する（ステップＳ１０７）。ユーザは、分担先の印刷装置１０の出力トレイに出力されている印刷物を回収したとき、該印刷装置１０の表示部１６に表示されている回収確認画面６５の回収釦６６を押下する。
【０１１９】
また、印刷管理サーバ４０は、分担先の各印刷装置１０に対して、分配内容と印刷物の回収状況を通知する（ステップＳ２０８）。これを受けた印刷装置１０は、たとえば、図１０に示すような印刷結果画面６８を表示する（ステップＳ１０８）。印刷結果画面６８には、印刷ジョブがどの印刷装置にどのように分配されたかを示す情報、それぞれの分担先での印刷物の回収状況などが表示される。自機にて印刷物が未回収であれば、印刷結果画面６８に回収釦６６をさらに表示してもよい。
【０１２０】
分担先のすべての印刷装置１０で印刷が完了したら（あるいは印刷が完了して回収釦６６が押下されたら）、分担先の各印刷装置１０の操作パネルのロックを解除して（ステップＳ２０９）、本処理を終了する。
【０１２１】
このように、印刷システム５では、セキュリティ印刷を分散印刷で実行する際に分担先にすることのできる印刷装置を、該印刷の実行指示を出したユーザの居る場所から同時に見渡せる範囲（該ユーザの携帯端末３０のカメラの撮影範囲）に存在する印刷装置１０に制限するので、セキュリティ印刷の本来の目的（情報漏洩の防止）を達成しつつ、分散印刷によって出力時間を短縮することができる。
【０１２２】
また、携帯端末３０のカメラ３３の出力画像に基づいて視認可能グループを特定するので、印刷を実行する時点で、実際にユーザの居る場所から見渡せる範囲にある印刷装置１０を視認可能グループとすることができる。したがって、印刷装置１０の設置位置が変更されても、視認可能グループを誤認することはない。
【０１２３】
なお、上記の例では、分担先候補の中から分担先の指定をユーザから受けるようにしたが、ユーザから指定を受けることなく、印刷管理サーバ４０が自動的に印刷ジョブの分担先を決定し分散印刷させるようにしてもよい。たとえば、視認可能グループに属する印刷装置１０の中から、阻害条件に一致しない分散印刷可能な印刷装置１０の処理能力や機能を考慮して、分担先およびジョブの配分を決定するように構成されてもよい。
【０１２４】
印刷システム５では、セキュリティ印刷を分散印刷で行う場合においても、ログイン（認証情報の入力）は最初の１台のみでよく、視認可能グループ内の他の印刷装置１０にはログインせずに印刷を実行させることができる。このように、１台の印刷装置１０で認証情報を入力すれば足りるので、分担先のすべての印刷装置１０で認証情報の入力を要する場合に比べて、利便性が向上し、同時に視認可能な範囲に存在する複数の印刷装置１０を用いてセキュリティを確保した分散印刷を簡単に行わせることができる。
【０１２５】
なお、セキュリティ印刷を開始した後も、視認可能グループに属する各印刷装置１０が分散印刷を可能な状態にあるか否かを監視し、分散印刷を可能な状態にない印刷装置１０（阻害条件に一致する印刷装置１０）が分散印刷可能な状態（阻害条件に一致しない状態）に変化したタイミングで該印刷装置１０を分担先の候補に加え、分担先の再指定をユーザから受けるようにしてもよい。分散印刷可能な状態に変化したタイミングとは、他のユーザのジョブが終了した、他のユーザがログアウトした、人感センサに感知されなくなった、など他のユーザが印刷装置１０から離れたときであり、そのタイミングでその印刷装置を分担先の候補に加える。
【０１２６】
たとえば、図８の分担先指定画面７０を表示して分担先の指定を受けた後、ＭＦＰ６が分散印刷可能な状態に変化したら、そのタイミングで図７の分担先指定画面７０を表示して分担先の再指定を受ける、あるいはＭＦＰ６が分担先に選択可能になったことを表示して、ＭＦＰ６を分担先に加えるか否かの選択をユーザから受けるようにすればよい。
【０１２７】
操作パネルのロックの解除は、たとえば、印刷がすべて完了し、ユーザが各印刷装置１０から印刷物を回収し印刷物のある全ての印刷装置１０の操作パネルで回収済みの操作を行った後にログアウトするなど、セキュリティ印刷が全て完了したタイミングで行ってもよい。ログアウトの際、回収済みになっていない印刷装置１０が残っていれば警告を表示して回収を促すようにしてもよい。
【０１２８】
次に、印刷中のセキュリティ保全措置について説明する。
【０１２９】
印刷管理サーバ４０は、セキュリティ印刷を行っているユーザが、該印刷を担っている視認可能グループに属さない印刷装置１０に対してログインしようとしたことを検出した場合、該ユーザが別の場所に移動したと考えられるので、情報漏洩の防止を図るために、所定のセキュリティ保全措置を実施する。たとえば、ユーザに対して、セキュリティ印刷を実行している印刷装置１０から目を離さないように注意を喚起する警告を表示する、セキュリティ印刷を一時停止する、セキュリティ印刷に係る印刷物を格納して他のユーザの目に触れないようにする、などのセキュリティ保全措置を行う。
【０１３０】
また、印刷管理サーバ４０は、セキュリティ印刷を行わせたユーザが、セキュリティ印刷を担った視認可能グループに属するいずれかの印刷装置１０に再びログインしたとき、セキュリティ保全措置を解除する。すなわち、該ログインにより、セキュリティ印刷を行わせたユーザが、セキュリティ印刷を担った視認可能グループに属するいずれかの印刷装置１０がある場所に戻ってきたことを確認できるので、セキュリティ保全措置を解除する。
【０１３１】
図１１は、セキュリティ保全措置の制御に係る印刷管理サーバ４０の動作を示す流れ図である。印刷管理サーバ４０は、視認可能グループに属する印刷装置１０にてセキュリティ印刷が開始されると（ステップＳ２２１）、管理下にあるすべての印刷装置１０と通信して各印刷装置１０におけるユーザのログイン状況を監視する（ステップＳ２２２）。各印刷装置１０は、自装置にユーザがログインしようとしたとき、それを印刷管理サーバ４０に通知する。
【０１３２】
印刷管理サーバ４０は、ステップＳ２２１のセキュリティ印刷を開始する際にログインしたユーザが視認可能グループ以外の印刷装置１０においてログイン（認証情報を入力）しようとしているか否かを、各印刷装置１０からの通知に基づいて判定する（ステップＳ２２３）。上記のユーザが視認可能グループに属さない印刷装置１０にログインしようとしていない場合は（ステップＳ２２３；Ｎｏ）、ステップＳ２２１で開始したセキュリティ印刷が完了したか否かを調べ（ステップＳ２２４）、未完了ならば（ステップＳ２２４；Ｎｏ）、ステップＳ２２２に戻って処理を継続する。完了ならば（ステップＳ２２４；Ｙｅｓ）、本処理を終了する。
【０１３３】
上記のユーザが視認可能グループに属さない印刷装置１０にログインしようとしたことを検出した場合は（ステップＳ２２３；Ｙｅｓ）、セキュリティ保全措置を実施する（ステップＳ２２５）。具体的には、印刷管理サーバ４０は、セキュリティ保全措置の実行指示を、印刷を分担している各印刷装置１０に送信し、これを受けた印刷装置１０が、警告を表示する、印刷を一時中断する、印刷物を視認不能な場所に格納する等のセキュリティ保全措置を実行する。なお、上記のログイン操作を受けた視認可能グループに属さない印刷装置１０は、該ログインを受け付けないように制御する。
【０１３４】
その後、ステップＳ２２１のセキュリティ印刷を開始する際にログインしたユーザが視認可能グループに属するいずれかの印刷装置１０にログインするか否かを監視し（ステップＳ２２６；Ｎｏ）、ログインしたら（ステップＳ２２６；Ｙｅｓ）、セキュリティ保全措置を解除して（ステップＳ２２７）、ステップS２２４に移行する。
【０１３５】
次に、ユーザが分担先の印刷装置から離れた場所に移動したことを携帯端末３０の出力画像から検出してセキュリティ保全措置を実施する場合について説明する。
【０１３６】
セキュリティ印刷の実行中に、該セキュリティ印刷の実行を指示したユーザに紐付けされている携帯端末３０のカメラ３３の出力する画像を解析し、該カメラ３３の撮影範囲に分担先のすべての印刷装置１０が存在するか否かをチェックする。そして、分担先の印刷装置１０のうちの少なくとも１台が携帯端末３０のカメラ３３の出力する画像に映っていない状態が一定時間以上継続した場合に、セキュリティ保全措置を実施する。
【０１３７】
図１２は、セキュリティ保全措置の実施を撮影画像に基づいて制御する印刷管理サーバ４０の動作を示す流れ図である。印刷管理サーバ４０は、視認可能グループに属する分担先の印刷装置１０にてセキュリティ印刷が開始されると（ステップＳ２４１）、該セキュリティ印刷の実行指示を入力したユーザ（ログインユーザ）に紐付けされている携帯端末３０に、現在の撮影画像に基づく視認可能グループの認識を指示し、その認識結果を取得する（ステップＳ２４２）。
【０１３８】
印刷管理サーバ４０は、ステップＳ２２１のセキュリティ印刷を分担しているすべての印刷装置１０が、ステップＳ２４２で取得し現時点の視認可能グループに含まれているか否かを判定する（ステップＳ２４３）。セキュリティ印刷を分担しているすべての印刷装置１０が、ステップＳ２４２で取得し視認可能グループに含まれている場合は（ステップＳ２４３；Ｙｅｓ）、ステップＳ２４１で開始したセキュリティ印刷が完了したか否かを調べ（ステップＳ２４４）、未完了ならば（ステップＳ２４４；Ｎｏ）、ステップＳ２４２に戻って処理を継続する。完了ならば（ステップＳ２４４；Ｙｅｓ）、本処理を終了する。
【０１３９】
セキュリティ印刷を分担しているいずれかの印刷装置１０が、ステップＳ２４２で取得し視認可能グループに含まれていない場合は（ステップＳ２４３；Ｎｏ）、セキュリティ保全措置を実施する（ステップＳ２４５）。
【０１４０】
その後、該セキュリティ印刷の実行指示を入力したユーザ（ログインユーザ）に紐付けされている携帯端末３０に対して、現在の撮影画像に基づく視認可能グループの認識を再度指示し、その認識結果を取得する（ステップＳ２４６）。そして、ステップＳ２２１のセキュリティ印刷を分担しているすべての印刷装置１０が、ステップＳ２４６で取得し視認可能グループに含まれているか否かを判定する（ステップＳ２４７）。
【０１４１】
セキュリティ印刷を分担しているいずれかの印刷装置１０が、ステップＳ２４６で取得し視認可能グループに含まれていない場合は（ステップＳ２４７；Ｎｏ）、ステップＳ２４６に戻る。
【０１４２】
セキュリティ印刷を分担しているすべての印刷装置１０が、ステップＳ２４６で取得し視認可能グループに含まれている場合は（ステップＳ２４７；Ｙｅｓ）、セキュリティ保全措置を解除して（ステップＳ２４８）、ステップＳ２４４に移行する。
【０１４３】
図１３、図１４は、これまで説明したセキュリティ印刷に関して印刷管理サーバ４０が行う処理をまとめて示した流れ図である。印刷管理サーバ４０は、ＰＣ４等からセキュリティ印刷の設定が成された印刷ジョブを受信して記憶部４２に記憶する(ステップＳ４０１)。次に、いずれかのＭＦＰで該印刷ジョブの出力指示および認証情報の入力操作（たとえば、ユーザのログイン操作）が行われて、該印刷ジョブの実行指示がそのＭＦＰから通知されるのを待つ（ステップＳ４０２）。
【０１４４】
次に、印刷管理サーバ４０は、該印刷ジョブの実行指示を行ったユーザに紐付けされている携帯端末３０から接続情報を受け取り（ステップＳ４０３）、さらに該携帯端末３０から視認可能グループ情報を取得する（ステップＳ４０４）。さらに、視認可能グループに属する各ＭＦＰからＭＦＰ情報を取得する。ＭＦＰ情報は、そのＭＦＰで実行中のジョブの情報、そのＭＦＰの操作パネル１５が使用中か否かを示す情報、人感センサによる使用者の検出状況を示す情報、および、分担先指定画面６０で分担先が途中で追加指定された場合にその追加指定された分担先を示す情報等である。
【０１４５】
印刷管理サーバ４０は、視認可能グループに属する各ＭＦＰが分散印刷の分担先として利用可能か否か(阻害条件に一致するか否か)を判断し、該判断の結果と当該視認可能グループに属するＭＦＰを示す情報を視認可能グループ情報として、実行指示の送信元のＭＦＰに通知する（ステップＳ４０５）。
【０１４６】
その後、該通知に対する回答（分担先に指定されたＭＦＰを示す情報）を受信し（ステップＳ４０６）、該回答の示す各分担先に対して適切にジョブが割り振られる印刷ジョブを分割する（ステップＳ４０７）。そして、分担先の各ＭＦＰにそれぞれが担当する分の印刷ジョブを送信すると共に、分担先の各ＭＦＰに操作パネル１５のロック要求を送信する（ステップＳ４０８）。
【０１４７】
次に、印刷管理サーバ４０は、管理下にあるすべてのＭＦＰからＭＦＰ情報を取得し（ステップＳ４０９）、該取得したＭＦＰ情報に基づいて以下を判断する（ステップＳ４１０）。
【０１４８】
分担先が追加指定された場合は（ステップＳ４１０：分担先追加）、ジョブを再分担し、各分担先へそれぞれが担当する分の印刷ジョブと操作パネル１５のロック要求を送信して（ステップＳ４１１）、ステップＳ４１７へ移行する。
【０１４９】
当該印刷ジョブの実行を指示したユーザが、視認可能グループに属していないＭＦＰにログインしようとしていることを検出した場合は（ステップＳ４１０：視認可能外ＭＦＰへのログイン検出）、分担先の各ＭＦＰに対してセキュリティ保全措置の実行要求を送信して(ステップＳ４１２)、ステップＳ４１７へ移行する。
【０１５０】
当該印刷ジョブの実行を指示したユーザが、視認可能グループに属するいずれかのＭＦＰに再ログインした場合は（ステップＳ４１０：視認可能内ＭＦＰへの再認証）、分担先の各ＭＦＰに対してセキュリティ保全措置の解除要求を送信して(ステップＳ４１３)、ステップＳ４１７へ移行する。
【０１５１】
分担先のＭＦＰから回収完了の通知を受けた場合は（ステップＳ４１０：回収完了）、各ＭＦＰの回収状況を更新し、更新後の回収状況を各ＭＦＰに送信して表示させ(ステップＳ４１４)、ステップＳ４１７へ移行する。
【０１５２】
分担先のＭＦＰのうちの少なくとも１台が、当該印刷ジョブの実行を指示したユーザに紐付けされている携帯端末３０の撮影画像に映っていない状況が一定期間以上継続した場合は(ステップＳ４１０：長期間検出されず)、分担先の各ＭＦＰに対してセキュリティ保全措置の実行要求を送信して(ステップＳ４１２)、ステップＳ４１７へ移行する。
【０１５３】
分担先の全ＭＦＰが、当該印刷ジョブの実行を指示したユーザに紐付けされている携帯端末３０の撮影画像に映る状態に戻ったら（ステップＳ４１０：検出再開)、分担先の各ＭＦＰに対してセキュリティ保全措置の解除要求を送信して(ステップＳ４１６)、ステップＳ４１７へ移行する。
【０１５４】
ステップＳ４１７では、分担先のすべてのＭＦＰで印刷物が回収済みか否かを判断し、回収済みでないＭＦＰが存在する場合は（ステップＳ４１７；Ｎｏ）、ステップＳ４０４に戻って処理を継続する。分担先のすべてのＭＦＰで印刷物が回収済みならば（ステップＳ４１７；Ｙｅｓ）、各分担先に操作パネル１５のロックの解除要求を送信する（ステップＳ４１８）。これで今回の印刷ジョブに対する処理は完了する。その後は、ステップＳ４０１に戻って次の印刷ジョブに対する処理を継続する。
【０１５５】
図１５、図１６は、セキュリティ印刷に関してＭＦＰが行う処理の詳細を示している。まず、ユーザから認証情報の入力(ログイン)を受け付ける（ステップＳ５０１）。また、携帯端末３０にて認証を受ける（ステップＳ５０２）。入力された認証情報が有効なものでなければ（ステップＳ５０３；Ｎｏ）、警告を表示して（ステップＳ５０４）、ステップＳ５４０１に戻る。
【０１５６】
入力された認証情報が有効ならば（ステップＳ５０３；Ｙｅｓ）、ログイン処理を行う（ステップＳ４０５）。ここでは、印刷管理サーバ４０と携帯端末３０に接続情報を送信する。また、ログインしたユーザが投入した印刷ジョブのリストを印刷管理サーバ４０から取得して表示し、いずれかの印刷ジョブの実行指示を受ける。
【０１５７】
実行指示を受けた印刷ジョブにセキュリティ印刷の設定がなされているか否かを調べ、セキュリティ印刷の設定がなされていなければ（ステップＳ５０６；Ｎｏ）、通常の印刷処理を行って（ステップＳ５０７）、ステップＳ５０１に戻る。
【０１５８】
実行指示を受けた印刷ジョブがセキュリティ印刷の場合は（ステップＳ５０６；Ｙｅｓ）、紐付けされている携帯端末３０に対して視認可能グループ識別処理の開始を指示する（ステップＳ５０８）。その後、印刷管理サーバ４０から、当該印刷ジョブを分散印刷する場合の分担先候補を示す視認可能グループ情報を受け取り、この情報に対応する分担先指定画面６０を作成して操作パネル１５の表示部１６に表示する（ステップＳ５０９）。そして、ユーザから分担先の指定を受け付け（ステップＳ５１０）、分担先に指定されたＭＦＰを印刷管理サーバ４０に通知する（ステップＳ５１１）。
【０１５９】
その後、自装置が担当する分の印刷ジョブを印刷管理サーバ４０から受信して該印刷ジョブに基づく印刷を実行する。印刷が未完了ならば（ステップＳ５１２；Ｎｏ）、ステップＳ５０８に戻る。印刷が完了したら（ステップＳ５１２；Ｙｅｓ）、印刷物が回収されるのを待ち（ステップＳ５１３）、回収されたら（回収釦６６が押下されたら）、回収済みを印刷管理サーバ４０に通知する（ステップＳ５１４）。
【０１６０】
印刷管理サーバ４０から分担先の各ＭＦＰでの印刷物の回収状況を示す情報を取得し（ステップＳ５１５）、未回収のＭＦＰがあれば（ステップＳ５１６；Ｎｏ）、ステップＳ５１５に戻る。分担先の全ＭＦＰで回収済みならば（ステップＳ５１６；Ｙｅｓ）、ログアウト処理を行い(ステップＳ５１７)、ステップＳ５０１に戻る。
【０１６１】
図１７は、印刷管理サーバ４０からの要求に応じてＭＦＰが行う処理を示している。ＭＦＰは、印刷管理サーバ４０から何らかの要求を受信すると（ステップＳ５２１、Ｓ５２２）、要求内容に対応した処理を行う。
【０１６２】
すなわち、セキュリティ保存措置の実行要求を受けた場合は（ステップＳ５２２：セキュリティ保全要求）、印刷を中断するなどのセキュリティ保全措置を実施する（ステップＳ５２３）。セキュリティ保存措置の解除要求を受けた場合は（ステップＳ５２２：セキュリティ保全解除）、中断していた印刷を再開するなどしてセキュリティ保全措置を解除する（ステップＳ５２４）。
【０１６３】
操作パネル１５のロック要求を受けた場合は（ステップＳ５２２：パネルロック）、ユーザからの操作を受け付けない状態に操作パネル１５を設定(ロック)する（ステップＳ５２５）。操作パネル１５のロックの解除要求を受けた場合は（ステップＳ５２２：パネルロック解除）、操作パネル１５のロックを解除する（ステップＳ５２６）。印刷ジョブを受信した場合は（ステップＳ５２２：印刷ジョブ）、その印刷ジョブに基づく印刷を開始する（ステップＳ５２７）。
【０１６４】
図１８は、ＭＦＰ情報の送信に関してＭＦＰが行う処理を示している。印刷装置１０は、印刷管理サーバ４０からＭＦＰ情報の取得要求が受信されるのを待ち（ステップＳ５４１；Ｎｏ）、ＭＦＰ情報の取得要求を受信したら（ステップＳ５４１；Ｙｅｓ）、自装置の現状に対応するＭＦＰ情報を作成して印刷管理サーバ４０に送信する（ステップＳ５４２）。
【０１６５】
図１９は、携帯端末３０が行う視認可能グループ識別処理を示している。カメラ３３を起動し、ＭＦＰから接続情報を受け取る（ステップＳ３１１）。次に、カメラ３３の出力する画像を解析して発光部２１の点滅パターンを認識し、該画像に映っているＭＦＰを特定する（ステップＳ３１２）。次に、当該携帯端末３０から各ＭＦＰまでの距離を判定し、一定距離以上離れたＭＦＰを除外し（ステップＳ３１３）、除外されずに残ったＭＦＰを視認可能グループに決定する（ステップＳ３１４）。そして、この決定した視認可能グループを印刷管理サーバ４０に通知する(ステップＳ３１５)。
【０１６６】
印刷完了でなければ（ステップＳ３１６；Ｎｏ）、撮影中の画像を逐次解析して、視認可能グループを更新する（ステップＳ３１２〜Ｓ３１５）。印刷完了ならば（ステップＳ３１６；Ｙｅｓ）、本処理を終了する。
【０１６７】
次に、分担先候補の中から分担先の指定を受ける操作を携帯端末３０で受け付ける場合について説明する。この場合の動作の流れを図２０に基づいて説明する。機密文書１をセキュリティ印刷するものとする。
【０１６８】
まず、ユーザは、セキュリティ印刷の設定が成された印刷ジョブ（機密文書１の印刷ジョブ）をＰＣ４あるいは携帯端末３０から印刷管理サーバ４０に送信する。印刷管理サーバ４０は、該印刷ジョブを受信して記憶部４２に保存する（ステップＳ２６１）。
【０１６９】
その後、ユーザは、携帯端末３０にログインする。該携帯端末３０はユーザから機密文書１の印刷指示（印刷ジョブの実行指示）を受け付け（ステップＳ３４１）、機密文書１に係る印刷ジョブの実行要求を印刷管理サーバ４０に送信する（ステップＳ３４２）。この携帯端末３０は、該携帯端末３０で機密文書１に係る印刷ジョブの実行指示を受けるので、該実行指示を行ったユーザに紐付けされた端末となっている。
【０１７０】
その後、携帯端末３０は、視認可能グループ識別処理を実行し、該処理で認識した視認可能グループを印刷管理サーバ４０に通知する（ステップＳ３４３）。
【０１７１】
視認可能グループの通知を受信した印刷管理サーバ４０は、通知された視認可能グループに属するＭＦＰのそれぞれについて、分散印刷の実行が可能な状態にあるか否かを各ＭＦＰに問い合わせてチェックする（ステップＳ２６２）。具体的には、前述した阻害条件に一致するＭＦＰは分散印刷を実行できない状態にあると判定し、阻害条件に一致しないＭＦＰは分散印刷の実行が可能な状態にあると判定する。
【０１７２】
次に、印刷管理サーバ４０は、ステップＳ２６２で分散印刷の実行が可能な状態にあると判定した各ＭＦＰに対して、操作パネル１５のロックを指示する（ステップＳ２６３）。操作パネルをロックすることで、新たに使用を開始できないようにする。ロックした操作パネルの表示部１６には、その理由（たとえば、分散印刷の実行中であること等）が表示される。そして、視認可能グループに属するＭＦＰのうちのステップＳ２６２で分散印刷の実行が可能な状態にあると判定したＭＦＰを、機密文書１を分散印刷する際の分担先候補として、実行要求の送信元である携帯端末３０に通知する(ステップＳ２６４)。
【０１７３】
上記の通知を受けた携帯端末３０は、該通知された分担先候補の中から分担先の指定をユーザから受けるための分担先指定画面７０を表示部３４に表示する（ステップＳ３４４）。
【０１７４】
図２１は、分担先指定画面７０の一例を示している。この例の分担先指定画面７０は、携帯端末３０のカメラ３３の出力する画像に、印刷対象の文書名、印刷の分担先を選択するようにユーザを促す案内メッセージ、分担先のＭＦＰを選択するための選択枠７１、ＯＫ釦７２などを重ねて表示したものである。各選択枠７１は、その選択枠７１に対応するＭＦＰの上に重ねて表示される。選択枠７１の枠内が押下されるとその選択枠７１に対応するＭＦＰが分散印刷の分担先に選択され、その状態の選択枠７１が再度押下されると、その選択枠７１に対応するＭＦＰは分担先から解除される。
【０１７５】
図１９に戻って説明を続ける。携帯端末３０は分担先指定画面７０にて分担先の指定を受け付け、ユーザから指定された分担先を印刷管理サーバ４０に通知する（ステップＳ３４５）。
【０１７６】
印刷管理サーバ４０は、上記の通知を受信すると（ステップＳ２６５）、ステップＳ２６３で操作パネルをロックしたＭＦＰのうち分担先に指定されなかったＭＦＰに対して、操作パネルのロック解除を指示する（ステップＳ２６６）。これにより、分担先に指定されなかったＭＦＰにおいては、新たな使用の受け付けが可能になる。分担先に指定されたＭＦＰについては、新たな使用を防止する状態が継続される。
【０１７７】
次に印刷管理サーバ４０は、機密文書１の印刷ジョブを、分担先のＭＦＰに分配して印刷の実行を指示する（ステップＳ２６７）。
【０１７８】
機密文書１の印刷を分担するＭＦＰは、それぞれ操作パネルをロックして新たなジョブの投入操作ができない状態を維持すると共に、分散印刷の実行中である旨を表示しつつ、印刷管理サーバ４０から分配された印刷を実行する（ステップＳ１２１）。
【０１７９】
ＭＦＰは、印刷が終了したら、操作パネル１５の表示部１６に、図９に示すような回収確認画面６５を表示し、該画面６５内の回収釦６６が押下されたら、印刷物がユーザによって回収されたことを印刷管理サーバ４０に通知する（ステップＳ１２２）。ユーザは、分担先の印刷装置１０の出力トレイに出力されている印刷物を回収したとき、該印刷装置１０の表示部１６に表示されている回収確認画面６５の回収釦６６を押下する。
【０１８０】
また、印刷管理サーバ４０は、分担先の各印刷装置および携帯端末３０に対して、分配内容と印刷物の回収状況を通知する（ステップＳ２６８）。これを受けた印刷装置１０や携帯端末３０は、たとえば、図１０に示すような印刷結果画面６８を表示する（ステップＳ１２３、Ｓ３４６）。
【０１８１】
分担先のすべてのＭＦＰで印刷が完了したら（あるいは印刷が完了して回収釦６６が押下されたら）、分担先の各ＭＦＰの操作パネルのロックを解除して（ステップＳ２６９）、本処理を終了する。
【０１８２】
このように、携帯端末３０にて印刷ジョブの実行指示を入力する場合には、ユーザはＭＦＰにログインすることなく、セキュリティ印刷を行うことができるので、複数台のＭＦＰを同時に見渡せる位置から印刷ジョブの実行を指示することができ、ログインのためにいずれか１台のＭＦＰまで行く必要がない。なお、印刷ジョブを、ＰＣ４からではなく、携帯端末３０から印刷管理サーバ４０に送信するようにしてもよい。
【０１８３】
以上説明したように、第１の実施の形態に係る印刷システム５では、ユーザが予めジョブを分割することなくセキュリティ印刷を分散印刷で実施することができる。また、印刷ジョブの実行を指示したユーザの携携帯端末３０のカメラ３３が一度に撮影可能な範囲にある印刷装置１０のみが分散印刷の分担先に制限されるので、ユビキタス印刷時に、セキュリティ性を保ったまま分散出力を行うことができ、出力時間を短縮することができる。また、分担先候補の中から分担先の指定をユーザから受けることで、同時視認可能な範囲にある印刷装置１０の中でユーザの希望する印刷装置１０を使用して分散印刷を実施することができる。
【０１８４】
セキュリティ印刷を実行中のすべての印刷装置１０を同時に視認可能な場所から離れた場所にある印刷装置１０にユーザがログインする、あるいは、携帯端末３０のカメラ３３の出力画像に分担先の印刷装置１０が映っていない状態など、セキュリティ印刷から目が離れてしまう状況が生じた場合に、ユーザに注意を喚起したり、印刷を一時停止したりする等のセキュリティ保全措置を実施するので、セキュリティ性の低下を防ぐことができる。
【０１８５】
分散印刷によるセキュリティ印刷の開始から終了の間、該印刷を実行している印刷装置１０の操作パネル１５をロックすることで、他のユーザが割り込みを行えないようにできるため、印刷物が混ざったり、他のユーザが長時間その場にいるなどのセキュリティ上望ましくない状況を回避することができる。
【０１８６】
次に、第２の実施の形態について説明する。
【０１８７】
第１の実施の形態では、各印刷装置１０の発光部２１を固有の点滅パターンで点滅させ、携帯端末３０のカメラで発光部２１を撮影することで、該携帯端末３０を所持するユーザが同時に視認できる１または複数台の印刷装置１０を視認可能グループとして特定した。第２の実施の形態では、カメラと発光部の関係を逆にする。すなわち、図２２に示すように、各印刷装置１０Ｂは、周囲を撮影するカメラ２２を有する。携帯端末３０Ｂは発光部３７を有し、これを固有の点滅パターンで点滅させる。そして、同一の携帯端末３０の発光部３７を撮影している１または複数台の印刷装置１０Ｂを視認可能グループに特定する。
【０１８８】
図２３は、第２の実施の形態に係る印刷装置１０Ｂの概略構成を示すブロック図である。図３と同一部分には同一の符号を付してある。カメラ２２を有する点が図３の印刷装置１０と相違する。図２４は、第２の実施の形態に係る携帯端末３０Ｂの概略構成を示すブロック図である。図４と同一部分には同一の符号を付してある。発光部３７を有する点が図４の携帯端末３０と相違する。
【０１８９】
図２５は、第２の実施の形態に係る印刷システム５Ｂにてセキュリティ印刷を行う場合の動作の流れを示している。ここでは、分担先候補の中から分担先の指定を受ける操作を携帯端末３０Ｂで受け付ける場合について説明する。また、機密文書１をセキュリティ印刷するものとする。なお、図１９と同一の処理には同一のステップ番号を付してある。
【０１９０】
まず、ユーザは、セキュリティ印刷の設定が成された印刷ジョブ（機密文書１の印刷ジョブ）をＰＣ４あるいは携帯端末３０Ｂから印刷管理サーバ４０に送信する。印刷管理サーバ４０は、該印刷ジョブを受信して記憶部４２に保存する（ステップＳ２６１）。
【０１９１】
その後、ユーザは、携帯端末３０Ｂにログインする。該携帯端末３０はユーザから機密文書１に係る印刷ジョブの実行指示を受け付け（ステップＳ３４１）、機密文書１に係る印刷ジョブの実行要求を印刷管理サーバ４０に送信する（ステップＳ３４２）。さらに、携帯端末３０Ｂは、自端末に固有の点滅パターンで発光部３７を点滅させる（ステップＳ３８１）。また、自端末に固有の点滅パターンを印刷管理サーバ４０に通知する。
【０１９２】
機密文書１に係る印刷ジョブの実行要求を受信した印刷管理サーバ４０は、各ＭＦＰ（印刷装置１０Ｂ）に、カメラ２２の出力画像を解析して携帯端末３０Ｂを検出することを指示する。ここでは、実行要求の送信元の携帯端末３０Ｂから通知された点滅パターンを印刷管理サーバ４０から各ＭＦＰに通知する。各ＭＦＰは、通知された点滅パターンで点滅している発光部３７を画像内から検出し、その検出結果を印刷管理サーバ４０に返送する。なお、発光部３７の光源サイズ、携帯端末３０Ｂとの近距離無線通信における電波強度、光強度などから携帯端末３０Ｂまでの距離を判定し、ＭＦＰからの距離が一定以上の携帯端末３０Ｂは検出対象から除外する。
【０１９３】
印刷管理サーバ４０は、各ＭＦＰから返送される検出結果に基づいて視認可能グループを識別する（ステップＳ２８２）。すなわち、通知した点滅パターンを正常に検出した１または複数のＭＦＰを視認可能グループとする。
【０１９４】
次に、印刷管理サーバ４０は、該視認可能グループに属するＭＦＰのそれぞれについて、分散印刷の実行が可能な状態にあるか否かを各ＭＦＰに問い合わせてチェックする（ステップＳ２６２）。以後の処理は、図１９に示すものと同一であり、省略する。
【０１９５】
なお、視認可能グループの認識方法は上記に限定されない。たとえば、各ＭＦＰ（印刷装置１０Ｂ）は、自装置のカメラ２２の出力画像に映っている発光部の点滅パターンを認識（複数映っている場合はそれぞれの点滅パターンを認識）し、認識した点滅パターンを印刷管理サーバ４０に通知する。印刷管理サーバ４０は、実行要求の送信元の携帯端末３０Ｂの点滅パターンと同じ点滅パターンを検出している１または複数台のＭＦＰを視認可能グループに特定する、といった方法でもよい。
【０１９６】
第２の実施の形態においても、第１の実施の形態と同様の効果を得ることができる。
【０１９７】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１９８】
第１の実施の形態では、携帯端末３０のカメラ３３の出力する画像を携帯端末３０で解析して視認可能グループを携帯端末３０側で特定するよう構成例を示したが、画像を携帯端末３０から印刷管理サーバ４０へ送信し、その画像を印刷管理サーバ４０で解析して視認可能グループを特定するように構成することができる。
【０１９９】
すなわち、印刷ジョブの実行指示を入力したユーザに紐付けされている携帯端末３０は、カメラ３３の出力する画像を印刷管理サーバ４０に送信する。印刷管理サーバ４０は、この画像を受信して取得し、該取得した画像に映っている発光部２１の点滅パターンを解析して上記携帯端末３０のカメラ３３が撮影している１または複数の印刷装置を視認可能グループとして特定する。
【０２００】
また、携帯端末３０においてカメラの出力する画像に映っている点滅パターンを検出（複数の発光部２１が映っている場合は複数の点滅パターンを検出）し、該検出した点滅パターンを携帯端末３０から印刷管理サーバ４０に通知し、印刷管理サーバ４０にて登録テーブルを参照して、通知された各点滅パターンに対応する印刷装置１０を認識して視認可能グループを特定するようにしてもよい。
【０２０１】
同様に、第２の実施の形態では、各印刷装置１０Ｂは、カメラ２２の出力する画像を解析して点滅パターンを検出し、その検出した点滅パターンを印刷管理サーバ４０に送信する。印刷管理サーバ４０は印刷装置１０から受信した点滅パターンに対応する携帯端末３０を特定して視認可能グループを求める構成とすることができる。
【０２０２】
また、画像を解析して視認可能グループを特定する機能は、印刷システム５内の任意の場所で行えばよい。たとえば、視認可能グループを認識するために専用のサーバを設ける構成とすることができる。すなわち、画像を携帯端末３０から専用サーバへ送信し、その画像を専用サーバで解析して視認可能グループ（あるいは点滅パターン）を特定し、特定した結果を専用サーバから印刷管理サーバ４０へ通知するように構成することができる。
【０２０３】
第２の実施の形態では、各印刷装置１０Ｂのカメラ２２の出力する画像を印刷管理サーバ４０に送信する。印刷管理サーバ４０は、各印刷装置１０のカメラ２２の出力画像を取得し、これらの中から、実行指示を入力したユーザに紐付けされている携帯端末３０に固有の点滅パターンで点滅する発光部３７が映っている出力画像を抽出し、該抽出した出力画像の取得元の１または複数の印刷装置１０を視認可能グループとして特定するように構成することができる。また、各印刷装置１０Ｂのカメラ２２の出力する画像を専用サーバに送信し、該専用サーバでそれらの画像を解析して視認可能グループ（あるいは点滅パターン）を特定し、特定した結果を専用サーバから印刷管理サーバ４０へ通知するように構成することができる。
【０２０４】
印刷管理サーバ４０は単体で存在している必要はなく、複数台のサーバが共同して印刷管理サーバ４０の機能を実現してもよい。また、印刷管理サーバ４０の機能を、いずれかの印刷装置１０あるいは複数台に印刷装置１０が共同して担うように構成されてもよい。
【０２０５】
また、他のジョブを実行中である等の理由で分担先の候補から除外されたＭＦＰについては、ジョブの終了後に分担先に加えることを予約できるようにしてもよい。この場合、ジョブの実行終了までの時間を予測し、終了後にそのＭＦＰにジョブを分担させたら出力完了までに要する時間がどの程度短縮されるかを判定し、一定時間以上の短縮効果が望める場合に、予約可能としてもよい。予約されたＭＦＰは、たとえば、他のジョブの実行が終わり次第、操作パネル１５を新たなジョブの投入操作ができない状態にロックし、分散印刷中である旨を表示して印刷を開始する。
【０２０６】
ユーザがログアウトした際に、回収済みになっていない印刷装置１０が残っている場合にその旨の警告を表示して回収を促すようにしてもよい。印刷ジョブの送信元はＰＣ４に限定されず、携帯端末等であってもよい。
【符号の説明】
【０２０７】
２…ネットワーク
３…アクセスポイント
４…ＰＣ
５、５Ｂ…印刷システム
１０、１０Ｂ…印刷装置（ＭＦＰ）
１１…制御部
１２…記憶部
１３…画像処理部
１４…画像読取部
１５…操作パネル
１６…表示部
１７…操作部
１８…プリンタ部
１９…ネットワーク通信部
２１…発光部
２２…カメラ
３０、３０Ｂ…携帯端末
３１…制御部
３２…記憶部
３３…カメラ
３４…表示部
３５…操作部
３６…ネットワーク通信部
３７…発光部
４０…印刷管理サーバ
４１…制御部
４２…記憶部
４３…ネットワーク通信部
４４…分担先決定部
４５…分配部
４６…セキュリティ保全部
４７…操作禁止部
５１…パーティション
６０…分担先指定画面
６１、６１ｃ…選択釦
６２…ＯＫ釦
６５…回収確認画面
６６…回収釦
６８…印刷結果画面
７０…分担先指定画面
７１…選択枠
７２…ＯＫ釦
【図１】
0006476950.tif 000002
【図２】
0006476950.tif 000003
【図３】
0006476950.tif 000004
【図４】
0006476950.tif 000005
【図５】
0006476950.tif 000006
【図６】
0006476950.tif 000007
【図７】
0006476950.tif 000008
【図８】
0006476950.tif 000009
【図９】
0006476950.tif 000010
【図１０】
0006476950.tif 000011
【図１１】
0006476950.tif 000012
【図１２】
0006476950.tif 000013
【図１３】
0006476950.tif 000014
【図１４】
0006476950.tif 000015
【図１５】
0006476950.tif 000016
【図１６】
0006476950.tif 000017
【図１７】
0006476950.tif 000018
【図１８】
0006476950.tif 000019
【図１９】
0006476950.tif 000020
【図２０】
0006476950.tif 000021
【図２１】
0006476950.tif 000022
【図２２】
0006476950.tif 000023
【図２３】
0006476950.tif 000024
【図２４】
0006476950.tif 000025
【図２５】
0006476950.tif 000026